(57)【要約】架橋型オルガノポリシロキサン重合物と、シリコーン油を除く油剤からなる、化粧料用として好適な組成物、及びその組成物を含有させた化粧料が開示されている。本発明の化粧料は、軽い延びとさっぱりした使用感を有し、塗布する事により、適度な水分の蒸散を損なうことなく、柔軟性、平滑性、エモリエント効果を付与し、自然なつやからマット感まで幅広い特性を与える等、使用性に優れると共に良好な経時安定性を有する。【特許請求の範囲】
【請求項１】
架橋型オルガノポリシロキサン重合物とシリコーン油以外の油剤とからなることを特徴とする組成物。
【請求項２】
前記架橋型オルガノポリシロキサン重合物が、自重以上の量の前記シリコーン以外の油剤を含んで膨潤する架橋型オルガノポリシロキサン重合物である、請求項１に記載された組成物。
【請求項３】
前記架橋型オルガノポリシロキサン重合物が、構成成分として、分子中に平均で１．５個以上のビニル性反応部位を有するオルガノポリシロキサンと、分子中に平均で１．５個以上のケイ素原子に直接結合した水素原子を有するオルガノハイドロジェンポリシロキサンを反応させることにより、架橋構造を形成させてなる架橋型オルガノポリシロキサン重合物である、請求項１又は２に記載された組成物。
【請求項４】
前記架橋型オルガノポリシロキサン重合物が、下記（１）に示されるオルガノハイドロジェンポリシロキサンと、下記（２）に示されるオルガノポリシロキサン、及び／又は下記（３）に示される不飽和炭化水素との付加重合によって得られる架橋型オルガノポリシロキサン重合物である、請求項１又は２に記載された組成物。
（１）：ＳｉＯ２単位、ＨＳｉＯ１．５単位、ＲＳｉＯ１．５単位、ＲＨＳｉＯ単位、Ｒ２ＳｉＯ単位、Ｒ３ＳｉＯ０．５単位及びＲ２ＨＳｉＯ０．５単位（ここで、Ｒは脂肪族不飽和基を除く置換もしくは非置換の炭素数１〜３０の一価炭化水素基である）からなる群から選択された少なくとも１種の構造単位で構成されると共に、ケイ素原子に結合した水素原子を平均で１．５個以上分子中に含有するオルガノハイドロジェンポリシロキサン。
（２）：ＳｉＯ２単位、（ＣＨ２＝ＣＨ）ＳｉＯ１．５単位、ＲＳｉＯ１．５単位、Ｒ（ＣＨ２＝ＣＨ）ＳｉＯ単位、Ｒ２ＳｉＯ単位、Ｒ３ＳｉＯ０．５単位及びＲ２（ＣＨ２＝ＣＨ）ＳｉＯ０．５単位、（ここでＲは前記（１）の場合と同じ）からなる群から選択された構造単位で構成されると共に、分子中にケイ素原子に結合したビニル基を平均で１．５個以上含有するオルガノポリシロキサン。（３）：ＣｍＨ２ｍ−１（ＣＨ２）ｘＣｍＨ２ｍ−１で表される不飽和炭化水素。但し、ｍは２〜６、Ｘは１以上の整数である。
ここで、（１）及び（２）に示されるポリシロキサンは、ケイ素原子結合水素原子、或いはケイ素原子結合ビニル基の少なくとも一方の含有量が、ケイ素原子に結合している全有機基と水素原子との合計あたり２０モル％よりも小さくなるように選択される。
【請求項５】
前記架橋型オルガノポリシロキサン重合物を形成する一部のＲが、脂肪族不飽和基を除く、置換もしくは非置換の炭素数１０〜２２の一価炭化水素基である、請求項１〜４の何れかに記載された組成物。
【請求項６】
前記シリコーン油以外の油剤が炭化水素油である、請求項１〜５の何れかに記載された組成物。
【請求項７】
前記炭化水素油が分岐状炭化水素油である、請求項６に記載された組成物。
【請求項８】
前記炭化水素油が揮発性の炭化水素油である、請求項６又は７に記載された組成物。
【請求項９】
前記シリコーン油以外の油剤がエステル油である、請求項１〜５の何れかに記載された組成物。
【請求項１０】
前記シリコーン油以外の油剤がグリセライド油である、請求項１〜５の何れかに記載された組成物。
【請求項１１】
前記シリコーン油以外の油剤が天然動植物油剤及び半合成油剤である、請求項１〜５の何れかに記載された組成物。
【請求項１２】
請求項１〜１１の何れかに記載された組成物をＡ）成分として含有する化粧料。
【請求項１３】
Ａ）成分である組成物中に含有される油剤以外の油剤をＢ）成分として含有する請求項１２に記載された化粧料。
【請求項１４】
前記Ｂ）成分である油剤の少なくとも一部が常温で液状である、請求項１３に記載された化粧料。
【請求項１５】
前記Ｂ）成分である油剤の少なくとも一部が、Ｒ１ａＳｉＯ（４−ａ）／２（ただし、Ｒ１は水素原子または炭素数１〜３０のアルキル基、アリール基、アラルキル基又はフッ素置換アルキル基であり、ａは１．５≦ａ≦２．５の正数である。）で表される、直鎖状、分岐状又は環状のシリコーン油である、請求項１３又は１４に記載された化粧料。
【請求項１６】
前記Ｂ）成分である油剤の少なくとも一部が、フッ素基、又はアミノ基を有する油剤である、請求項１３〜１５の何れかに記載された化粧料。
【請求項１７】
Ｃ）成分として水を含有する、請求項１２〜１６の何れかに記載された化粧料。
【請求項１８】
Ｄ）成分として分子構造中にアルコール性水酸基を有する化合物を含有する、請求項１２〜１７の何れかに記載された化粧料。
【請求項１９】
前記Ｄ）成分である分子構造中にアルコール性水酸基を有する化合物が、水溶性で一価のアルコール、及び／又は水溶性多価アルコールである、請求項１８に記載された化粧料。
【請求項２０】
Ｅ）成分として水溶性又は水膨潤性高分子を含有する、請求項１２〜１９の何れかに記載された化粧料。
【請求項２１】
Ｆ）成分として粉体及び／又は着色剤を含む、請求項１２〜２０の何れかに記載された化粧料。
【請求項２２】
前記Ｆ）成分である粉体及び／又は着色剤の少なくとも一部が、ジメチルシリコーンを架橋した構造を持つ架橋型シリコーン微粉末、ポリメチルシルセスキオキサンの微粉末、疎水化シリカ、あるいは球状シリコーンゴム表面をポリメチルシルセスキオキサン粒子で被覆した複合微粉末である、請求項２１に記載された化粧料。
【請求項２３】
前記Ｆ）成分である粉体及び／又は着色剤の少なくとも一部が、フッ素基を有する粉体及び／又は着色剤である、請求項２１又は２２に記載された化粧料。
【請求項２４】
Ｇ）成分として界面活性剤を含有する、請求項１２〜２３の何れかに記載された化粧料。
【請求項２５】
前記Ｇ）成分である界面活性剤が分子中にポリオキシアルキレン鎖を有する直鎖状又は分岐状のシリコーンである、請求項２４に記載された化粧料。
【請求項２６】
前記Ｇ）成分である界面活性剤のＨＬＢが２−８である、請求項２４又は２５に記載された化粧料。
【請求項２７】
Ｈ）成分として、０．６５ｍｍ２／秒（２５℃）〜１００．０ｍｍ２／秒（２５℃）の低粘度シリコーンを自重以上の量含んで膨潤する架橋型オルガノポリシロキサンを含有する、請求項１２〜２６の何れかに記載された化粧料。
【請求項２８】
前記Ｈ）成分である架橋型オルガノポリシロキサンが、ポリオキシアルキレン部分、アルキル部分、アルケニル部分、アリール部分、フルオロアルキル部分の中から選択された少なくとも一つの部分を架橋分子中に含有する架橋型オルガノポリシロキサンである、請求項２７に記載された化粧料。
【請求項２９】
Ｉ）成分としてシリコーン樹脂を含有する請求項１２〜２８の何れかに記載された化粧料。
【請求項３０】
前記Ｉ）成分であるシリコーン樹脂がアクリルシリコーン樹脂である、請求項２９に記載された化粧料。
【請求項３１】
前記Ｉ）成分であるシリコーン樹脂が、ピロリドン部分、長鎖アルキル部分、ポリオキシアルキレン部分、フルオロアルキル部分、及びカルボン酸などのアニオン部分からなる群の中から選択された少なくとも一つの部分を分子中に含有するアクリルシリコーン樹脂である、請求項３０に記載された化粧料。
【請求項３２】
前記Ｉ）成分であるシリコーン樹脂が、構成成分としてＭＱ、ＭＤＱ、ＭＴ、ＭＤＴ、ＭＤＴＱと表されるシリコーン網状化合物である、請求項２９に記載された化粧料。
【請求項３３】
前記Ｉ）成分であるシリコーン樹脂が、ピロリドン部分、長鎖アルキル部分、ポリオキシアルキレン部分、フルオロアルキル部分、及びアミノ部分からなる群の中から選択された少なくとも一つの部分を分子中に含有するシリコーン網状化合物である、請求項２９又は３２に記載された化粧料。
【請求項３４】
請求項１２〜３３の何れかに記載された化粧料を構成成分の少なくとも一部としてなるスキンケア化粧料。
【請求項３５】
請求項１２〜３３の何れかに記載された化粧料を構成成分の少なくとも一部としてなるメークアップ化粧料。
【請求項３６】
請求項１２〜３３の何れかに記載された化粧料を構成成分の少なくとも一部としてなる頭髪化粧料。
【請求項３７】
請求項１２〜３３の何れかに記載された化粧料を構成成分の少なくとも一部としてなる制汗剤化粧料。
【請求項３８】
請求項１２〜３３の何れかに記載された化粧料を構成成分の少なくとも一部としてなる紫外線防御化粧料。
【請求項３９】
請求項１２〜３８の何れかに記載された化粧料の形状が、液状、乳液状、クリーム状、固形状、ペースト状、ゲル状、粉末状、プレス状、多層状、ムース状、スプレー状、又はスティック状である化粧料。
【発明の詳細な説明】
技術分野
本発明は、架橋型オルガノポリシロキサンとシリコーン油以外の油剤とを含有する組成物、及びその組成物を含有した化粧料に関する。更に詳しくは、上述した組成物を含有することによって、軽い延びとさっぱりした使用感を有すると共に、塗布する事により、柔軟性、平滑性、及びエモリエント効果を付与し、自然なつやからマット感までの幅広い効果に優れ、良好な経時安定性を有する化粧料に関するものである。
背景技術
従来、柔軟性や平滑性を与え、エモリエント効果を持たせる目的で、パラフィン、エステル、グリセライド、動物油、植物油、高級アルコールなどの液体油を添加した化粧料が用いられているが、これらの化粧料は、油っぽさやべたつき、油膜感が避けられないという欠点があった。そこで、油っぽさやべたつき、或いは油膜感を押さえるために、前記した化粧料にジメチルポリシロキサンなどのシリコーン油を配合した化粧料が知られている。
しかしながら、シリコーン油は軽い延びと優れた平滑性、及び撥水性を有するが、シリコーン油以外の油剤との相溶性には限界があり、それらを配合した化粧料の安定性を確保するためには、シリコーン油を固化、または増粘させると共に、シリコーン油以外の油剤も固化、又は増粘させる必要がある。シリコーンを固化、増粘させる方法としては、シリコーン鎖にアルキル基を導入した化合物（特開平２−６４１１５号公報）、シリコーン鎖に炭素数が２１〜３０の脂肪族アルコール又は酸のエステル基を導入した化合物（特開平１０−５００４３１公報）、アクリレートシリコーン（特開平２−１３２１４１公報）、架橋型オルガノポリシロキサン（特許２１０５６５５号公報）などが提案されており、様々な試みがされている。
一方、シリコーン油以外の、パラフィン、エステル、グリセライド、動物油、植物油、高級アルコールなどの液体油を固化、又は増粘させる物としては、たとえば、高融点の固形ワックス、金属石鹸、デンプン脂肪酸エステル、有機変性粘土鉱物などが挙げられる。しかしながら、金属石鹸は液状油に対する溶解性が悪く、溶解に１００℃程度の高温を必要とするため、他の混合油剤や顔料などの品質低下を招くとともに、経時的にひび割れや油のしみ出しがある上、使用時に発汗等が起こりやすいという欠点があった。また、デンプン脂肪酸エステルはゲル化剤として優れているものの、経時的に油が分離する等の欠点があった。いずれにしろ、これらの固化剤は、それ自体の油っぽさやべたつきに加え、油膜感を有すると共に凝集する傾向があるため経時で廃液するなどの問題が起こり、低温から高温までの広い領域において安定性を確保することが難しく、十分に満足する事のできるものではなかった。
本発明者等は、上記の欠点を解決する為に鋭意研究を行った結果、架橋型オルガノポリシロキサンとシリコーン油以外の油剤からなる組成物が化粧料に好適であり、特に、前記架橋型オルガノポリシロキサンが、シリコーン以外の油剤を自重以上の量含んで膨潤する架橋型オルガノポリシロキサンである場合が良好であり、その組成物を化粧料に配合することにより、使用感や使用性に優れると共に経時安定性にも優れた化粧料が得られることを見出し、本発明に到達した。
従って本発明の第１の目的は、塗布時のべたつきや重さがなく、さらさらしてのび広がりが軽く、後肌も、さらっとしたなめらかな感触を有する等、軽い延びとさっぱりした使用感を有する化粧料に好適な組成物を提供することにある。
本発明の第２の目的は、塗布する事により、適度な水分の蒸散を損なうことなく、柔軟性、平滑性及びエモリエント効果を付与し、自然なつやからマット感まで幅広い特性を与える等、使用性に優れ、良好な経時安定性を有する化粧料を提供することにある。
発明の開示
本発明の上記の諸目的は、架橋型オルガノポリシロキサンとシリコーン油以外の油剤からなる組成物、及びその組成物を含有する事を特徴とする化粧料によって達成された。
本発明の架橋型オルガノポリシロキサン重合物と、シリコーン油以外の油剤からなる組成物を配合した化粧料は、塗布時のべたつきや重さがなくさらさらして、のび広がりも軽く、後肌も、さらっとしたなめらかな感触を有する等、軽い延びとさっぱりした使用感を有する。従って本発明の化粧料を塗布する事により、適度な水分の蒸散を損なうことなく、柔軟性、平滑性、及びエモリエント効果を付与し、自然なつやからマット感まで幅広い特性を与えることが出来る等、本発明の化粧料は使用性に優れると共に、良好な経時安定性を有する。
発明を実施するための最良の形態
本発明の組成物の架橋型オルガノポリシロキサンは、シリコーン油以外の油剤を自重以上の量含んで膨潤する架橋型オルガノポリシロキサンであることが好ましい。また、構成成分として分子中に平均で１．５個以上のビニル性反応部位を有するオルガノポリシロキサンと、分子中に平均で１．５個以上のケイ素原子に直接結合した水素原子を有するオルガノハイドロジェンポリシロキサンを反応させることにより、架橋構造を形成させた架橋型オルガノポリシロキサンであることが好ましい。
本発明においては、特に、架橋型オルガノポリシロキサンが、下記（１）に示されるオルガノハイドロジェンポリシロキサンと、下記（２）に示されるオルガノポリシロキサン、及び／又は下記（３）に示される不飽和炭化水素との付加重合によって得られる架橋型オルガノポリシロキサンであることが好ましい。
（１）：ＳｉＯ２単位、ＨＳｉＯ１．５単位、ＲＳｉＯ１．５単位、ＲＨＳｉＯ単位、Ｒ２ＳｉＯ単位、Ｒ３ＳｉＯ０．５単位及びＲ２ＨＳｉＯ０．５単位（ここで、Ｒは、脂肪族不飽和基を除く置換もしくは非置換の炭素数１〜３０の一価炭化水素基である）からなる群の中から選択された少なくとも１種の構造単位で構成されると共に、分子中にケイ素原子に結合した水素原子を平均で１．５個以上含有するオルガノハイドロジェンポリシロキサン。
（２）：ＳｉＯ２単位、（ＣＨ２＝ＣＨ）ＳｉＯ１．５単位、ＲＳｉＯ１．５単位、Ｒ（ＣＨ２＝ＣＨ）ＳｉＯ単位、Ｒ２ＳｉＯ単位、Ｒ３ＳｉＯ０．５単位及びＲ２（ＣＨ２＝ＣＨ）ＳｉＯ０．５単位、（ここで、Ｒは前記（１）の場合と同じ）からなる群から選択された少なくとも１種の構造単位で構成されると共に、分子中にケイ素原子に結合したビニル基を平均で１．５個以上含有するオルガノポリシロキサン。
（３）：ＣｍＨ２ｍ−１（ＣＨ２）ｘＣｍＨ２ｍ−１で表される不飽和炭化水素。但し、ｍは２〜６、Ｘは１以上の整数である。
ここで、（１）及び（２）に示されるオルガノポリシロキサンは、ケイ素原子結合水素原子、或いはケイ素原子結合ビニル基の少なくとも一方の含有量が、ケイ素原子に結合している全有機基と水素原子との合計あたり２０モル％よりも小さくなるように選択される。
（１）のオルガノハイドロジェンポリシロキサンとしては、ＳｉＯ２単位、ＨＳｉＯ１．５単位、ＲＳｉＯ１．５単位、ＲＨＳｉＯ単位、Ｒ２ＳｉＯ単位、Ｒ３ＳｉＯ０．５単位及びＲ２ＨＳｉＯ０．５単位等からなるものが挙げられる。ここでＲは、脂肪族不飽和基を除く、置換もしくは非置換の炭素数１〜３０の一価炭化水素基である。このようなＲとしては、例えば、メチル基、エチル基、プロピル基、ラウリル基、ミリスチル基、パルミチル基、ステアリル基等のアルキル基；フェニル基、トリル基等のアリール基；シクロヘキシル基などのシクロアルキル基等からなる一価炭化水素基、並びにこれら一価炭化水素基が有する１個又は２個以上の水素原子が、塩素、臭素、フッ素基等のハロゲン原子やシアノ基等によって置換された置換炭化水素基、例えば、γ−トリフルオロプロピル基、クロロメチル基などが挙げられる。特に、Ｒの３０モル％以上がメチル基であると共に５〜５０モル％が炭素数１０〜２２の炭化水素基であることが好ましく、炭素数１０〜２２の炭化水素基が１０〜４０モル％であることが更に好ましい。また、この（１）に示されるオルガノハイドロジェンポリシロキサンは、直鎖状、分岐状、環状のいずれであっても良い。
上記（１）に示されるオルガノハイドロジェンポリシロキサンは、１分子中にケイ素原子に結合した水素原子（Ｓｉ−Ｈ）を平均で１．５個以上含有することが好ましく、特に２〜５０個含有することが好ましく、２〜１０個含有することが最も好ましい。また、このケイ素原子に結合した水素原子が分子中に占める割合は、ケイ素原子に結合した水素原子及び全有機基の合計に対し、通常、０．５〜５０モル％であり、特に１〜２０モル％であることが好ましい。
また、（２）に示されるビニル基含有オルガノポリシロキサンは、ＳｉＯ２単位、（ＣＨ２＝ＣＨ）ＳｉＯ１．５単位、ＲＳｉＯ１．５単位、Ｒ（ＣＨ２＝ＣＨ）ＳｉＯ単位、Ｒ２ＳｉＯ単位、Ｒ３ＳｉＯ０．５単位及びＲ２（ＣＨ２＝ＣＨ）ＳｉＯ０．５単位、（ここでＲは前記（１）の場合と同じ）からなる群の中から選択された少なくとも１種の構造単位で構成される。また、分子中に、ケイ素原子に結合したビニル基を平均で１．５個以上含有することが好ましく、特に２〜５０個含有することが好ましい。さらに、好ましくは、ケイ素原子に結合したビニル基の分子中に含有される平均個数は２〜１０個、特に好ましくは２〜５個である。また、Ｒの３０モル％以上がメチル基であると共に５〜５０モル％が炭素数１０〜２２の炭化水素基であることが好ましく、特に、上記炭素数１０〜２２の炭化水素基が１０〜４０モル％であることが好ましい。
（２）に示されるビニル基含有オルガノポリシロキサンの分子構造は、直鎖状、分岐状、環状のいずれであっても良い。また、このビニル基の分子中における含有量は、ケイ素原子に結合した全有機基中の０．５〜５０モル％であることが好ましく、特に１〜２０モル％であることが好ましい。
また、（３）に示された不飽和炭化水素、ＣｍＨ２ｍ−１（ＣＨ２）ｘＣｍＨ２ｍ−１におけるｍは２〜６の整数、Ｘは１以上の整数であり、好ましくは、１〜２０の整数である。このような不飽和炭化水素の具体例としては、例えばペンタジエン、ヘキサジエン、ヘプタジエン、オクタジエン、ペンタデカジエン、ヘプタデカジエン、ヘントリアコンタジエン等が挙げられる。
上述したように、（１）に示されたオルガノハイドロジェンポリシロキサン及び（２）に示されたビニル基含有オルガノポリシロキサンの少なくとも一方は、反応性基（ケイ素原子に結合した水素原子及びビニル基）の分子中における含有量が、ケイ素原子に結合している全ての有機基と水素原子との合計あたり２０モル％よりも小さくなるように選択される。これにより、付加重合によって得られる重合体の架橋度が好適な状態となり、油剤に対する適度な膨潤性が得られる。
また、（１）に示されたオルガノハイドロジェンポリシロキサン及び（２）に示されたビニル基含有オルガノポリシロキサンからなる架橋型オルガノポリシロキサンのＲは、脂肪族不飽和基を除く、置換もしくは非置換の炭素数１〜３０の一価炭化水素基を表すが、そのＲの一部は、脂肪族不飽和基を除く、置換もしくは非置換の炭素数１０〜２２の一価炭化水素基であることが好ましい。このようにすることによって、架橋型オルガノポリシロキサン重合物とシリコーン油以外の油剤からなる組成物が安定に得られる。
前記（１）に示されるオルガノハイドロジェンポリシロキサンと（２）に示されるオルガノポリシロキサン及び／又は（３）に示される不飽和炭化水素との付加重合は、無溶媒で行わせることが出来るが、必要に応じて有機溶剤を用いても良い。このような有機溶剤としては、例えばメタノール、エタノール、２−プロパノール、ブタノール等の脂肪族アルコール、ベンゼン、トルエン、キシレン等の芳香族炭化水素、ｎ−ペンタン、ｎ−ヘキサン、シクロヘキサン等の脂肪族、もしくは脂環式炭化水素、ジクロロメタン、クロロホルム、四塩化炭素、トリクロロエタン、トリクロロエチレン、フッ化塩化炭化水素等のハロゲン化炭化水素を用いても良い。
上記付加重合の触媒としては、白金化合物（例えば、塩化白金酸、アルコール変性塩化白金酸、塩化白金酸−ビニルシロキサン錯体等）又はロジウム化合物が挙げられる。付加重合は、その触媒の存在下、室温あるいは加温下（約５０〜１５０℃）で反応させればよい。本発明における特に好ましい触媒としては、塩化白金酸、米国特許第３，１５９，６０１号公報、同第３，１５９，６６２号公報、同３，７７５，４５２号公報等の明細書に記載されているハイドロシリレーション反応に用いられる白金化合物、例えば〔Ｐｔ（ＰＰｈ３）３〕などが例示される。上記白金化合物としては、例えばビニルシロキサンと白金化合物との錯化合物、又は、これを更にアルコール変性したものが良い。本発明においては、それらの中でも特に、特公昭３３−９９６９号公報に記載された塩化白金酸、又はビニルシロキサンと塩化白金酸との錯化合物を使用することが好ましい。
付加重合の具体的な操作は、例えば、攪拌装置を備えたプラネタリーミキサーなどの反応器を用いて、所要量の、（１）に示された成分と（２）に示された成分及び／又は（３）に示された成分を配合した後触媒を添加し、約５０〜１５０℃程度の適当な温度で攪拌すればよい。これにより、容易に目的とする架橋型オルガノポリシロキサンが得られる。
本発明の組成物におけるシリコーン油以外の油剤としては、通常の化粧料に使用される公知の液状油剤の中から適宜選択して使用することができる。
例えば、炭化水素油としては、直鎖状又は分岐状炭化水素油の他、揮発性の炭化水素油等が挙げられる。このような炭化水素油の具体例としては、α−オレフィンオリゴマー、軽質イソパラフィン、軽質流動イソパラフィン、スクワラン、合成スクワラン、植物性スクワラン、スクワレン、流動パラフィン、流動イソパラフィン等が挙げられる。
エステル油としては、アジピン酸ジイソブチル、アジピン酸−２−ヘキシルデシル、アジピン酸ジ−２−ヘプチルウンデシル、モノイソステアリン酸−Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジカプリン酸ネオペンチルグリコール、クエン酸トリエチル、コハク酸−２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸−２−エチルヘキシル、パルミチン酸２−ヘキシルデシル、パルミチン酸−２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸−２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等が挙げられる。
グリセライド油としては、アセトグリセリル、トリイソオクタン酸グリセリル、トリイソステアリン酸グリセリル、トリイソパルミチン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
高級脂肪酸としては、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、乳酸等が挙げられ、高級アルコールとしては、オレイルアルコール、イソステアリルアルコール、ヘキシルデカノール、オクチルドデカノール、セトステアリルアルコール、２−デシルテトラデシノール、モノオレイルグリセリルエーテル（セラキルアルコール）等が挙げられる。
また、天然動植物油剤及び半合成油剤としては、アボガド油、アーモンド油、オリーブ油、肝油、牛脚脂、キョウニン油、小麦胚芽油、ゴマ油、コメ胚芽油、コメヌカ油、サザンカ油、サフラワー油、シナモン油、タートル油、大豆油、茶実油、ツバキ油、月見草油、トウモロコシ油、ナタネ油、日本キリ油、胚芽油、パーシック油、ヒマシ油、ヒマシ油脂肪酸メチルエステル、ヒマワリ油、ブドウ油、ホホバ油、マカデミアナッツ油、ミンク油、メドウホーム油、綿実油、トリヤシ油脂肪酸グリセライド、落花生油、液状ラノリン、酢酸ラノリンアルコール、ラノリン脂肪酸ポリエチレングリコール、卵黄油等が挙げられる。
これらの液状油剤の中でも、本発明においては、炭化水素油、エステル油、グリセライド油、天然動植物油剤及び半合成油剤を使用することが好ましく、また炭化水素油の中でも、分岐状炭化水素油や揮発性の炭化水素油を使用することが好ましい。
本発明の組成物は、前述した方法で得られた架橋型オルガノポリシロキサンに、シリコーン油以外の油剤を、攪拌下で添加していくことにより容易に得られる。組成物の形状は、粉末状、ペースト状、液状の何れであっても良い。また、上記の架橋型オルガノポリシロキサンを製造する付加重合反応の段階で加える有機溶剤と共に、シリコーン油以外の油剤を共存させることにより、直接本発明の組成物を作ることもできる。また、その組成物に、更に油剤を添加していくことも可能である。いずれにしても、本発明の組成物の１成分である架橋型オルガノポリシロキサンは、シリコーン以外の油剤に不溶であるが、この油剤を、自重以上の量含んで膨潤する事を特徴とする架橋型オルガノポリシロキサンである。
本発明の組成物の架橋型オルガノポリシロキサンとシリコーン油以外の油剤との混合割合は、重量比で１／２０〜２０／１であることが好ましく、特に１／１０〜１／１であることが好ましい。
本発明の組成物は、各種の用途に使用することができるが、特に皮膚や毛髪に外用されるすべての化粧料の組成物として好適である。皮膚や毛髪に外用される化粧料とは、たとえば、乳液、クリーム、クレンジング、パック、オイルリキッド、マッサージ料、美容液、洗浄剤、脱臭剤、ハンドクリーム、リップクリーム等のスキンケア化粧料、メークアップ下地、白粉、リキッドファンデーション、油性ファンデーション、頬紅、アイシャドウ、マスカラ、アイライナー、アイブロウ、口紅等のメークアップ化粧料、シャンプー、リンス、トリートメント、セット剤等の毛髪化粧料、制汗剤、日焼け止め乳液や日焼け止めクリームなどの紫外線防御化粧料等である。この場合、Ａ）成分である本発明の組成物の配合量は化粧料の剤系によって異なるが、化粧料全体の０．１〜９５重量％となる範囲で使用可能であり、特に、化粧料全体の２〜８０重量％となる量を含有させることが好適である。
本発明の化粧料には、その目的に応じて、Ａ）成分である組成物に含まれる液状油以外の油剤を、Ｂ）成分として１種又は２種以上配合することができる。このＢ）成分としての油剤は、通常の化粧料に使用されるものであれば、固体、半固体、液体のいずれの油剤であっても良い。
例えば、天然動植物油脂類及び半合成油脂としては、アボガド油、アマニ油、アーモンド油、イボタロウ、エノ油、オリーブ油、カカオ脂、カポックロウ、カヤ油、カルナウバロウ、肝油、キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。但し、ＰＯＥはポリオキシエチレンを意味する。
炭化水素油としては、オゾケライト、α−オレフィンオリゴマー、軽質イソパラフィン、軽質流動イソパラフィン、スクワラン、合成スクワラン、植物性スクワラン、スクワレン、セレシン、パラフィン、パラフィンワックス、流動パラフィン、流動イソパラフィン、プリスタン、ポリイソブチレン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等が挙げられる。
高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等；グリセライド油としては、アセトグリセリル、トリイソオクタン酸グリセリル、トリイソステアリン酸グリセリル、トリイソパルミチン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
シリコーン油としては、ジメチルポリシロキサン、メチルフェニルポリシロキサン、メチルハイドロジェンポリシロキサン、ジメチルシロキサン・メチルフェニルシロキサン共重合体等の低粘度から高粘度のオルガノポリシロキサン、オクタメチルシクロテトラシロキサン、デカメチルシクロペンタシロキサン、ドデカメチルシクロヘキサシロキサン，テトラメチルテトラハイドロジェンシクロテトラシロキサン、テトラメチルテトラフェニルシクロテトラシロキサン等の環状シロキサン、高重合度のガム状ジメチルポリシロキサン、ガム状のジメチルシロキサン・メチルフェニルシロキサン共重合体等のシリコーンゴム、及びシリコーンゴムの環状シロキサン溶液、トリメチルシロキシケイ酸、トリメチルシロキシケイ酸の環状シロキサン溶液、ステアロキシシリコーン等の高級アルコキシ変性シリコーン、高級脂肪酸変性シリコーン、アルキル変性シリコーン、アミノ変性シリコーン、フッ素変性シリコーン、シリコーン樹脂及びシリコーンレジンの溶解物等が挙げられる。フッ素系油剤としては、パーフルオロポリエーテル、パーフルオロデカリン、パーフルオロオクタン等が挙げられる。
これらのＢ）成分である油剤の配合量は、化粧料全体の１〜９８重量％の範囲であることが好適である。
本発明の化粧料には、その目的に応じて、Ｃ）成分として水を配合することも出来る。その配合量は、化粧料全体の１〜９５重量％の範囲であることが好適である。
本発明の化粧料には、その目的に応じて、Ｄ）成分として分子構造中にアルコール性水酸基を有する化合物を、１種又は２種以上用いることもできる。本発明において添加することのできるアルコール性水酸基を有する化合物としては、エタノール、イソプロパノール等の低級アルコール、ソルビトール、マルトース等の糖アルコール等があり、コレステロール、シトステロール、フィトステロール、ラノステロール等のステロール、ブチレングリコール、プロピレングリコール、ジブチレングリコール等の多価アルコール等があるが、水溶性一価のアルコールや水溶性多価アルコールが多く用いられる。Ｄ）成分の配合量は、化粧料全体の０．１〜９８重量％の範囲であることが好適である。
本発明の化粧料には、その目的に応じて、Ｅ）成分として水溶性或いは水膨潤性高分子を、１種又は２種以上用いることもできる。例えば、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ）、アルゲコロイド、トラントガム、ローカストビーンガム等の植物系高分子、キサンタンガム、デキストラン、サクシノグルカン、プルラン等の微生物系高分子、コラーゲン、カゼイン、アルブミン、ゼラチン等の動物系高分子、カルボキシメチルデンプン、メチルヒドロキシプロピルデンプン等のデンプン系高分子、メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース粉末等のセルロース系高分子、アルギン酸ナトリウム、アルギン酸プロピレングリコールエステル等のアルギン酸系高分子、ポリビニルメチルエーテル、カルボキシビニルポリマー等のビニル系高分子、ポリオキシエチレン系高分子、ポリオキシエチレンポリオキシプロピレン共重合体系高分子、ポリアクリル酸ナトリウム、ポリエチルアクリレート、ポリアクリルアミド等のアクリル系高分子、ポリエチレンイミン、カチオンポリマーなど他の合成水溶性高分子、ベントナイト、ケイ酸アルミニウムマグネシウム、モンモリロナイト、バイデライト、ノントロナイト、サポナイト、ヘクトライト、無水ケイ酸等の無機系水溶性高分子などがある。
また、これらの水溶性高分子には、ポリビニルアルコールやポリビニルピロリドン等の皮膜形成剤も含まれる。
Ｅ）成分の配合量は、化粧料全体の０．１〜２５重量％の範囲であることが好適である。
本発明の化粧料には、その目的に応じてＦ）成分として粉体及び／又は着色剤を、１種又は２種以上用いることもできる。
粉体としては、通常の化粧料に使用されるものであれば、その形状（球状、針状、板状等）や粒子径（煙霧状、微粒子、顔料級等）、粒子構造（多孔質、無孔質等）を問わず、いずれのものも使用することができる。例えば無機粉体、有機粉体、界面活性剤金属塩粉体、有色顔料、パール顔料、金属粉末顔料、天然色素等があげられる。
無機粉体の具体例としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等が挙げられる。
有機粉体の具体例としては、ポリアミドパウダー、ポリエステルパウダー、ポリエチレンパウダー、ポリプロピレンパウダー、ポリスチレンパウダー、ポリウレタン、ベンゾグアナミンパウダー、ポリメチルベンゾグアナミンパウダー、テトラフルオロエチレンパウダー、ポリメチルメタクリレートパウダー、セルロース、シルクパウダー、ナイロンパウダー、１２ナイロン、６ナイロン、ジメチルシリコーンを架橋した構造を持つ架橋型シリコーン微粉末、ポリメチルシルセスキオキサンの微粉末、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン粉末、ラウロイルリジン等が挙げられる。
界面活性剤金属塩粉体（金属石鹸）の具体例としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等が挙げられる。
有色顔料の具体例としては、酸化鉄、水酸化鉄、チタン酸鉄の無機赤色系顔料、γー酸化鉄等の無機褐色系顔料、黄酸化鉄、黄土等の無機黄色系顔料、黒酸化鉄、カーボンブラック等の無機黒色系顔料、マンガンバイオレット、コバルトバイオレット等の無機紫色系顔料、水酸化クロム、酸化クロム、酸化コバルト、チタン酸コバルト等の無機緑色系顔料、紺青、群青等の無機青色系顔料、タール系色素をレーキ化したもの、天然色素をレーキ化したもの、及びこれらの粉体を複合化した合成樹脂粉体等が挙げられる。
パール顔料の具体例としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等；金属粉末顔料としては、アルミニウムパウダー、カッパーパウダー、ステンレスパウダー等が挙げられる。
タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等；天然色素としては、カルミン酸、ラッカイン酸、カルサミン、ブラジリン、クロシン等から選ばれる粉体がある。
これらの粉体及び／又は着色剤のうち、少なくとも一部がジメチルシリコーンを架橋した構造を持つ架橋型シリコーン微粉末、ポリメチルシルセスキオキサンの微粉末、疎水化シリカ、あるいは球状シリコーンゴム表面をポリメチルシルセスキオキサン粒子で被覆した複合微粉末や、粉体及び／又は着色剤の少なくとも一部が、フッ素基を有する粉体及び／又は着色剤である物が多く用いられる。さらにこれらの粉体は、本発明の効果を妨げない範囲で、粉体を複合化したものや一般油剤、シリコーン油、フッ素化合物、界面活性剤等で処理したものも使用することができ、必要に応じて一種、又は二種以上用いることができる。
Ｆ）成分の配合量は、化粧料全体の０．１〜９９重量％の範囲であることが好適である。特に、粉末固形化粧料の場合の配合量としては、化粧料全体の８０〜９９重量％の範囲が好適である。
本発明の化粧料には、その目的に応じて、Ｇ）成分として１種又は２種以上の界面活性剤を用いることもできる。このような界面活性剤としては、アニオン性、カチオン性、非イオン性及び両性の活性剤があるが、本発明においては特に制限されることはなく、通常の化粧料に使用されるものの中から適宜選択して使用することができる。
上記アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシルアミノ酸系活性剤等；カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、直鎖或いは分岐状ポリオキシアルキレン変性オルガノポリシロキサン、直鎖或いは分岐状ポリオキシアルキレン・アルキル共変性オルガノポリシロキサン、アルカノールアミド、糖エーテル、糖アミド等が挙げられ、両性界面活性剤としては、ベタイン、アミノカルボン酸塩、イミダゾリン誘導体、アミドアミン型等が挙げられる。
これらの界面活性剤の中でも、本発明においては、分子中にポリオキシアルキレン鎖を有する直鎖状又は分岐状のシリコーンである界面活性剤、ＨＬＢが２−８である界面活性剤が多く使用される。
また、Ｇ）成分の配合量は、化粧料全体の０．１〜２０重量％であることが好ましく、特に０．２〜１０重量％の範囲が好適である。
本発明の化粧料には、０．６５ｍｍ２／秒（２５℃）〜１００．０ｍｍ２／秒（２５℃）の低粘度シリコーンを自重以上の量含んで膨潤する架橋型オルガノポリシロキサンを、その目的に応じて、Ｈ）成分として１種又は２種以上用いることもできる。また、この架橋型オルガノポリシロキサンとしては、ポリオキシアルキレン部分、アルキル部分、アルケニル部分、アリール部分、及びフルオロアルキル部分からなる群の中から選択される少なくとも１種の部分を架橋分子中に含有する、架橋型オルガノポリシロキサンを使用することもできる。Ｈ）成分である架橋型オルガノポリシロキサンを用いる場合の配合量は、化粧料の総量に対して０．１〜５０重量％であることが好ましく、更に好ましくは１〜３０重量％である。このような架橋型オルガノポリシロキサンは特に限定されるものではないが、市販品としては、ＫＳＧ−１５、ＫＳＧ−１６、ＫＳＧ−１８、ＫＳＧ−２１、ＫＳＧ−３１、ＫＳＧ−３２、ＫＳＧ−３３、ＫＳＧ−３４（信越化学社製）等が挙げられる。
本発明の化粧料には、その目的に応じて、Ｉ）成分として１種又は２種以上のシリコーン樹脂を用いることもできる。このシリコーン樹脂はアクリル／シリコーングラフト又はブロック共重合体のアクリルシリコーン樹脂であることが好ましい。また、ピロリドン部分、長鎖アルキル部分、ポリオキシアルキレン部分及びフルオロアルキル部分、カルボン酸などのアニオン部分の中から選択される少なくとも１種を分子中に含有するアクリルシリコーン樹脂を使用することもできる。
更にこのシリコーン樹脂は、構成成分としてＭＱ、ＭＤＱ、ＭＴ、ＭＤＴ、ＭＤＴＱ等と表されるシリコーン網状化合物であることが好ましい。このＭ、Ｄ、Ｔ、Ｑは、それぞれ、Ｒ３ＳｉＯ０．５単位、Ｒ２ＳｉＯ単位、ＲＳｉＯ１．５単位、ＳｉＯ２単位を示すものであり、シリコーン業界では一般に使用されるものである。シリコーン網状樹脂は一般にＭＱレジンあるいはＭＴ、ＭＤＴレジンとして知られており、ＭＤＱ、ＭＤＴＱと示される部分を有することがあるだけでなく、オクタメチルシクロテトラシロキサンなどの溶解物として市販されているものもある。また、ピロリドン部分、長鎖アルキル部分、ポリオキシアルキレン部分及びフルオロアルキル部分、アミノ部分の中から選択される少なくとも１種を分子中に含有するシリコーン網状化合物を使用することもできる。
Ｉ）成分であるアクリルシリコーン樹脂、シリコーン網状化合物等のシリコーン樹脂を用いる場合の配合量は、化粧料の総量に対して０．１〜２０重量％であることが好ましく、更に好ましくは１〜１０重量％である。
更に、本発明の化粧料には、本発明の効果を妨げない範囲で、油溶性ゲル化剤、有機変性粘土鉱物、樹脂、制汗剤、紫外線吸収剤、紫外線吸収散乱剤、保湿剤、防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物、毛髪用固形化剤等の、通常化粧料で使用される成分を添加することができる。
油溶性ゲル化剤としては、アルミニウムステアレート、マグネシウムステアレート、ジンクミリステート等の金属セッケン、Ｎ−ラウロイル−Ｌ−グルタミン酸、α，γ−ジ−ｎ−ブチルアミン等のアミノ酸誘導体、デキストリンパルミチン酸エステル、デキストリンステアリン酸エステル、デキストリン−２−エチルヘキサン酸パルミチン酸エステル等のデキストリン脂肪酸エステル、ショ糖パルミチン酸エステル、ショ糖ステアリン酸エステル等のショ糖脂肪酸エステル、モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリロナイトクレー等の有機変性粘土鉱物等から選ばれるゲル化剤が挙げられる。
制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等から選ばれる制汗剤が挙げられる。
紫外線吸収剤としては、パラアミノ安息香酸等の安息香酸系紫外線吸収剤、アントラニル酸メチル等のアントラニル酸系紫外線吸収剤、サリチル酸メチル等のサリチル酸系紫外線吸収剤、パラメトキシケイ皮酸オクチル等のケイ皮酸系紫外線吸収剤、２，４−ジヒドロキシベンゾフェノン等のベンゾフェノン系紫外線吸収剤、ウロカニン酸エチル等のウロカニン酸系紫外線吸収剤、４−ｔ−ブチル−４’−メトキシ−ジベンゾイルメタン等のジベンゾイルメタン系紫外線吸収剤等が挙げられ、紫外線吸収散乱剤としては、微粒子酸化チタン、微粒子鉄含有酸化チタン、微粒子酸化亜鉛、微粒子酸化セリウム及びそれらの複合体等、紫外線を吸収散乱する粉体が挙げられる。
保湿剤としては、グリセリン、ソルビトール、プロピレングリコール、ジプロピレングリコール、１，３−ブチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド等がある。
防菌防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、クロルヘキシジン、トリクロロカルバニリド、感光素、フェノキシエタノール等がある。
酸化防止剤としては、トコフェロール、ブチルヒドロキシアニソール、ジブチルヒドロキシトルエン、フィチン酸等、ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等、キレート剤としては、アラニン、エデト酸ナトリウム塩、ポリリン酸ナトリウム、メタリン酸ナトリウム、リン酸等、清涼剤としては、Ｌ−メントール、カンフル等、抗炎症剤としては、アラントイン、グリチルリチン酸及びその塩、グリチルレチン酸及びグリチルレチン酸ステアリル、トラネキサム酸、アズレン等が挙げられる。
美肌用成分としては、胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤、酸化亜鉛、タンニン酸等の皮膚収斂剤、イオウ、チアントロール等の抗脂漏剤等が挙げられる。
ビタミン類としては、ビタミンＡ油、レチノール、酢酸レチノール、パルミチン酸レチノール等のビタミンＡ類、リボフラビン、酪酸リボフラビン、フラビンアデニンヌクレオチド等のビタミンＢ２類、ピリドキシン塩酸塩、ピリドキシンジオクタノエート、ピリドキシントリパルミテート等のビタミンＢ６類、ビタミンＢ１２及びその誘導体、ビタミンＢ１５及びその誘導体等のビタミンＢ類、Ｌ−アスコルビン酸、Ｌ−アスコルビン酸ジパルミチン酸エステル、Ｌ−アスコルビン酸−２−硫酸ナトリウム、Ｌ−アスコルビン酸リン酸ジエステルジカリウム等のビタミンＣ類、エルゴカルシフェロール、コレカルシフェロール等のビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類、ビタミンＨ、ビタミンＰ、ニコチン酸、ニコチン酸ベンジル、ニコチン酸アミド等のニコチン酸類、パントテン酸カルシウム、Ｄ−パントテニルアルコール、パントテニルエチルエーテル、アセチルパントテニルエチルエーテル等のパントテン酸類、ビオチン等がある。
アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等、核酸としては、デオキシリボ核酸等、ホルモンとしては、エストラジオール、エテニルエストラジオール等が挙げられる。
【００５８】
毛髪固定用高分子化合物としては、両性、アニオン性、カチオン性、非イオン性の各高分子化合物が挙げられ、ポリビニルピロリドン、ビニルピロリドン／酢酸ビニル共重合体等の、ポリビニルピロリドン系高分子化合物、メチルビニルエーテル／無水マレイン酸アルキルハーフエステル共重合体等の酸性ビニルエーテル系高分子化合物、酢酸ビニル／クロトン酸共重合体等の酸性ポリ酢酸ビニル系高分子、（メタ）アクリル酸／アルキル（メタ）アクリレート共重合体、（メタ）アクリル酸／アルキル（メタ）アクリレート／アルキルアクリルアミド共重合体等の酸性アクリル系高分子化合物、Ｎ−メタクリロイルオキシエチル−Ｎ，Ｎ−ジメチルアンモニウムα−Ｎ−メチルカルボキシベタイン／アルキル（メタ）アクリレート共重合体、ヒドロキシプロピル（メタ）アクリレート／ブチルアミノエチルメタクリレート／アクリル酸オクチルアミド共重合体等の両性アクリル系高分子化合物が挙げられる。また、セルロースまたはその誘導体、ケラチンおよびコラーゲンまたはその誘導体等の天然由来高分子化合物も好適に用いることができる。
本発明における化粧料としては、前述したように、乳液、クリーム、クレンジング、パック、オイルリキッド、マッサージ料、美容液、洗浄剤、脱臭剤、ハンドクリーム、リップクリーム等のスキンケア化粧料、メークアップ下地、白粉、リキッドファンデーション、油性ファンデーション、頬紅、アイシャドウ、マスカラ、アイライナー、アイブロウ、口紅等のメークアップ化粧料、シャンプー、リンス、トリートメント、セット剤等の毛髪化粧料、制汗剤、日焼け止め乳液や日焼け止めクリームなどの紫外線防御化粧料等が挙げられる。
またこれらの化粧料の形状としては、液状、乳液状、クリーム状、固形状、ペースト状、ゲル状、粉末状、プレス状、多層状、ムース状、スプレー状、スティック状等、種々の形態を選択することができる。
以下に、本発明を実施例によって更に詳述するが本発明はこれによって限定されるものではない．尚，特に断らない限り，以下に記載する「％」は「重量％」を意味する。
実施例１．
内容積約５ｌのプラネタリーミキサーに、下記（１）式で表されるメチルハイドロジェンポリシロキサン１６０．８ｇ、及び下記（２）式で表されるメチルビニルポリシロキサン４９９．８ｇを仕込み、２％塩化白金酸エタノール溶液を０．１ｇ添加した。次いで内温を７０〜８０℃として２時間重合させ、架橋型オルガノポリシロキサン重合物を得た。得られた重合体３０重量部と流動パラフィン７０重量部とを混練して組成物（１）を得た。
（１）式：
2003024413.tif 000002
（２）式：
2003024413.tif 000003
実施例２．
実施例１で得られた架橋型オルガノポリシロキサン重合物２５重量部とイソドデカン７５重量部とを混練して、組成物（ＩＩ）を得た。
実施例３．
実施例１で得られた架橋型オルガノポリシロキサン重合物３０重量部とイソオクタン酸グリセリル７０重量部とを混練して、組成物（ＩＩＩ）を得た。
実施例４．
実施例１で得られた架橋型オルガノポリシロキサン重合物３０重量部とスクワラン７０重量部とを混練して、組成物（ＩＶ）を得た。
実施例５．
実施例１で得られた架橋型オルガノポリシロキサン重合物３０重量部とイソオクタン酸グリセリル５０重量部、及びマカデミアンナッツ油２０重量部とを混練して、組成物（Ｖ）を得た。
実施例６．
仕込み材料として下記（３）式のメチルハイドロジェンポリシロキサン５８５．７ｇ、及び下記（４）式のメチルフェニルビニルポリシロキサン５３．８ｇを配合し、２％塩化白金酸エタノール溶液を０．１ｇ添加し、実施例１と同様にして架橋型オルガノポリシロキサン重合物を得た。その重合体２５重量部とイソノナン酸イソノニル７５重量部を混練して、組成物（ＶＩ）を得た。
（３）式：
2003024413.tif 000004
（４）式：
2003024413.tif 000005
実施例７．
仕込み材料としてＨ（ＣＨ３）２ＳｉＯ０．５単位／ＳｉＯ２単位比が、１．６／１．０（モル比）からなるメチルハイドロジェンポリシロキサン１００．０ｇ、及び下記（５）式のメチルビニルポリシロキサン９４０ｇを配合した。次いで０．５％塩化白金酸／ジビニルテトラメチルジシロキサン錯体のジビニルテトラメチルジシロキサン溶液０．３ｇを添加し、実施例１と同様にして架橋型オルガノポリシロキサン重合物を得た。その重合体３０ｇとイソオクタン酸グリセリル７０ｇと混練して、組成物（ＶＩＩ）を得た。
（５）式：
2003024413.tif 000006
実施例８．
仕込み材料として下記（６）式のメチルハイドロジェンポリシロキサン３８５．０ｇ、及び下記（７）式のメチルビニルポリシロキサン１３４．０を配合した。次いで、０．５％塩化白金酸／ジビニルテトラメチルジシロキサン錯体のジビニルテトラメチルジシロキサン溶液０．２ｇを添加し、実施例１と同様にして架橋型オルガノポリシロキサン重合物を得た。得られた重合体３０ｇとイソノナン酸イソノニル７０ｇを混練して組成物（ＶＩＩＩ）を得た。
（６）式：
2003024413.tif 000007
（７）式：
2003024413.tif 000008
実施例９：Ｗ／Ｏ型乳液
（成分）                                              重量（％）
１．組成物（ＩＩＩ）（実施例３）                        １５．０
２．ジメチルポリシロキサン（６ｍｍ２／秒（２５℃））    １２．０
３．デカメチルシクロペンタシロキサン                    １０．０
４．トリオクタン酸グリセリル                              ５．０
５．ポリエーテル変性シリコーン（注１）                    ３．０
６．１，３−ブチレングリコール                            ５．０
７．防腐剤                                                適  量
８．香料                                                  適  量
９．精製水                                              ５０．０
（注１）信越化学工業（株）製：ＫＦ−６０１７（商品名）
（製造方法）
Ａ：成分１〜５を均一に混合した。
Ｂ：成分６〜９を混合した後、Ａを加えて乳化した。
以上のようにして得られた乳液は、べたつきがなく、のび広がりも軽いものであった。また、密着感に優れ、おさまりも良く、つやのある仕上がりが得られるＷ／Ｏ型乳液であることが確認された。
実施例１０：Ｗ／Ｏ型クリーム
（成分）                                              重量（％）
１．組成物（Ｉ）（実施例１）                              ６．０
２．流動パラフィン                                      １３．５
３．マカデミアナッツ油                                    ５．０
４．アルキル・ポリエーテル共変性シリコーン（注１）        １．５
５．クエン酸ナトリウム                                    ０．２
６．プロピレングリコール                                  ８．０
７．グリセリン                                            ３．０
８．防腐剤                                                適  量
９．香料                                                  適  量
１０．精製水                                            ６２．８
（注１）信越化学工業（株）製：ＫＦ−６０２６（商品名）
（製造方法）
Ａ：成分１〜４を混合した。
Ｂ：成分５〜１０を混合溶解し、Ａに加えて攪拌乳化した。
以上のようにして得られたクリームは、油っぽさやべたつきがなく、のび広がりも軽くさっぱりとしたものであった。また、密着感に優れ、おさまりも良く、つやのある仕上がりが得られるＷ／Ｏ型クリームであることが確認された。
実施例１１：Ｗ／Ｏ型クリーム
（成分）                                              重量（％）
１．アルキル変性架橋型ポリエーテル変性シリコーン（注１）  ３．０
２．組成物（Ｉ）（実施例１）                              ４．０
３．流動パラフィン                                      １３．５
４．マカデミアナッツ油                                    ５．０
５．アルキル・ポリエーテル共変性シリコーン（注２）        ０．５
６．ハイブリッドシリコーン複合粉体（注３）                ３．０
７．クエン酸ナトリウム                                    ０．２
８．プロピレングリコール                                  ８．０
９．グリセリン                                            ３．０
１０．防腐剤                                              適  量
１１．香料                                                適  量
１２．精製水                                            ５９．８
（注１）信越化学工業（株）製：ＫＳＧ−３１（商品名）
（注２）信越化学工業（株）製：ＫＦ−６０２６（商品名）
（注３）信越化学工業（株）製：ＫＳＰ−１００（商品名）
（製造方法）
Ａ：成分１〜６を混合した。
Ｂ：成分７〜１２を混合溶解し、Ａに加えて攪拌乳化した。
以上のようにして得られたクリームは、油っぽさやべたつきがなく、のび広がりも軽くさっぱりとしたものであった。また、密着感に優れ、おさまりも良く、マットな仕上がりが得られるＷ／Ｏ型クリームであることが確認された。
実施例１２：Ｏ／Ｗ型クリーム
（成分）                                              重量（％）
１．組成物（Ｖ）（実施例５）                              ８．０
２．架橋型メチルフェニルポリシロキサン（注１）            ２．０
３．イソノナン酸イソトリデシル                            ５．０
４．ジプロピレングリコール                                ７．０
５．グリセリン                                            ５．０
６．メチルセルロース（２％水溶液）（注２）                ７．０
７．ポリアクリルアミド系乳化剤（注３）                    ２．０
８．グアニン                                              １．０
９．防腐剤                                                適  量
１０．香料                                                適  量
１１．精製水                                            ６３．０
（注１）信越化学工業（株）製：ＫＳＧ−１８
（注２）信越化学工業（株）製：メトローズＳＭ−４０００
（注３）ＳＥＰＩＣ製：セピゲル３０５
（製造方法）
Ａ：成分４〜１１を混合した。
Ｂ：成分１〜３を混合し、Ａを加えて攪拌乳化した。
以上のようにして得られたクリームは、キメが細かく、のび広がりが軽くてべたつきや油っぽさがない上しっとりとしてみずみずしく、さっぱりとした使用感を与えるものであった。また、化粧持ちが非常に良く、温度変化や経時による変化もなく安定性に優れているＯ／Ｗ型クリームであることが確認された。
実施例１３：Ｗ／Ｏ型クリーム
（成分）                                              重量（％）
１．組成物（ＩＩＩ）（実施例３）                          ２．０
２．ジメチルポリシロキサン（６ｍｍ２／秒（２５℃））    １０．０
３．架橋型ポリエーテル変性シリコーン（注１）              ５．０
４．ポリエーテル変性シリコーン（注２）                    ０．５
５．ジプロピレングリコール                              １０．０
６．クエン酸ナトリウム                                    ０．２
７．エタノール                                            ５．０
８．防腐剤                                                適  量
９．香料                                                  適  量
１０．精製水                                            ６７．３
（注１）信越化学工業（株）製：ＫＳＧ−２１（商品名）
（注２）信越化学工業（株）製：ＫＦ−６０１７（商品名）
（製造方法）
Ａ：成分１〜４を混合した。
Ｂ：成分５〜１０を混合溶解し、Ａに加えて攪拌乳化した。
以上のようにして得られたクリームは、油っぽさやべたつきがなく、のび広がりも軽く、みずみずしいさっぱりとした使用性を持つものであった。また、密着感に優れ、おさまりも良く、マット感のある仕上がりが得られるＷ／Ｏ型クリームであることが確認された。
実施例１４：Ｗ／Ｏ型メークアップ下地
（成分）                                              重量（％）
１．架橋型ポリエーテル変性シリコーン（注１）              ４．０
２．架橋型ジメチルポリシロキサン（注２）                  １．０
３．組成物（ＩＩ）（実施例２）                            １．０
４．ポリエーテル変性シリコーン（注３）                    ０．５
５．ジメチルポリシロキサン（６ｍｍ２／秒（２５℃））      ６．０
６．ジメチルポリシロキサン（２０ｍｍ２／秒（２５℃））    ２．０
７．デカメチルシクロペンタシロキサン                      ３．０
８．酸化チタン／シクロペンタシロキサン分散物（注４）    １０．０
９．ジプロピレングリコール                                ５．０
１０．クエン酸ナトリウム                                  ０．２
１１．メチルセルロース（２％水溶液）（注５）              ２．５
１２．エタノール                                          ３．０
１３．防腐剤                                              適  量
１４．香料                                                適  量
１５．精製水                                            ６１．８
（注１）信越化学工業（株）製：ＫＳＧ−２１（商品名）
（注２）信越化学工業（株）製：ＫＳＧ−１５（商品名）
（注３）信越化学工業（株）製：ＫＦ−６０１７（商品名）
（注４）信越化学工業（株）製：ＳＰＤ−Ｔ１Ｓ（商品名）
（注５）信越化学工業（株）製：メトローズ６５−ＳＨ４０００（商品名）
（製造方法）
Ａ：成分１〜８を混合した。
Ｂ：成分９〜１５を混合溶解し、Ａに加えて攪拌乳化した。
以上のようにして得られたメークアップ下地は、油っぽさやべたつきがなく、のび広がりも軽く、みずみずしいさっぱりとした使用性を持つものであった。また、密着感に優れ、おさまりも良く、マット感のある仕上がりが得られ、さらに紫外線カット効果のある化粧持ちの良い優れたＷ／Ｏ型メークアップ下地であることが確認された。
実施例１５：Ｏ／Ｗクリーム
（成分）                                              重量（％）
１．組成物（ＩＩ）（実施例２）                            ２．０
２．架橋型ジメチルポリシロキサン（注１）                １５．０
３．デカメチルシクロペンタシロキサン                    １０．０
４．ジメチルポリシロキサン（６ｍｍ２／秒（２５℃））    １８．０
５．ポリエーテル変性シリコーン（注２）                    ０．７
６．プロピレングリコール                                  ３．０
７．ポリアクリルアミド系混合物（注３）                    ０．８
８．キサンタンガム（２％水溶液）                          ８．０
９．防腐剤                                                適  量
１０．香料                                                適  量
１１．精製水                                            ４２．５
（注１）信越化学工業（株）製：ＫＳＧ−１６（商品名）
（注２）信越化学工業（株）製：ＫＦ−６０１１（商品名）
（注３）ＳＥＰＩＣ製：セピゲル３０５（商品名）
（製造方法）
Ａ：成分１〜４を混合した。
Ｂ：成分５〜１１を混合溶解した。
Ｃ：ＡをＢに加えて攪拌乳化した。
以上のようにして得られたクリームは、キメが細かく、のび広がりが軽くてべたつきや油っぽさがない上しっとりとしてみずみずしく、さっぱりとした使用感を与えるものであった。また、化粧持ちも非常に良く、温度変化や経時による変化がなく安定性に優れているＯ／Ｗ型クリームであることが確認された。
【００７７】
実施例１６：口紅
（成分）                                              重量（％）
１．ポリエチレンワックス                                １２．０
２．マイクロクリスタリンワックス                          ４．０
３．ポリブテン                                            ５．０
４．アクリレート／ジメチルシリコーン共重合体（注１）    １２．０
５．組成物（Ｉ）（実施例１）                              ７．０
６．オクタン酸セチル                                    ２０．０
７．ショ糖脂肪酸エステル                                  ３．０
８．トリイソステアリン酸グリセリル                      ３７．０
９．顔料                                                  適  量
１０．防腐剤                                              適  量
１１．香料                                                適  量
（注１）信越化学工業（株）製：ＫＰ−５６１
（製造方法）
Ａ：成分１〜７及び８の一部を加熱混合、溶解した。
Ｂ：成分９及び８の残部を均一混合し、Ａに加えて均一にした。
以上のようにして得られた口紅は、のびが軽くて油っぽさや粉っぽさがない上、さっぱりとした使用感を与えるものであった。また、耐水性や撥水性が良好で持ちも良く、安定性にも優れているものであった。
実施例１７：パウダーファンデーション
（成分）                                              重量（％）
１．ワセリン                                              ２．５
２．スクアラン                                            ３．０
３．組成物（ＩＶ）（実施例４）                            ０．５
４．トリオクタン酸グリセリル                              ２．０
５．シリコーン処理マイカ                                ４０．０
６．シリコーン処理タルク                                  残  量
７．シリコーン処理酸化チタン                            １０．０
８．シリコーン処理微粒子酸化チタン                        ５．０
９．シリコーン処理硫酸バリウム                          １０．０
１０．顔料                                                適  量
１１．フッ素変性ハイブリッドシリコーン複合粉体（注１）    ２．０
１２．シリコーン粉体（注２）                              ２．５
１３．防腐剤                                              適  量
１４．香料                                                適  量
（注１）信越化学（株）製：ＫＳＰ−２００（商品名）
（注２）信越化学（株）製：ＫＭＰ−５９０（商品名）
（製造方法）
Ａ：成分４〜１３を混合、均一にした。
Ｂ：成分１〜３を均一に混合し、Ａに加えて均一にした。
Ｃ：Ｂに成分１４を添加し、金型にプレス成型してパウダーファンデーションを得た。
以上のようにして得られたパウダーファンデーションは、べたつきがなく、のび広がりも軽いものであった。また、密着感に優れ、おさまりも良く、つやのある仕上がりが得られるパウダーファンデーションであることが確認された。
実施例１８：クリームファンデーション
（成分）                                              重量（％）
１．架橋型ポリエーテル変性シリコーン（注１）              ４．０
２．組成物（ＶＩ）（実施例６）                            １．５
３．トリオクタン酸グリセリル                              ４．０
４．ジメチルポリシロキサン（６ｍｍ２／秒（２５℃））      ５．０
５．デカメチルシクロペンタシロキサン                      ５．０
６．フッ素変性ハイブリッドシリコーン複合粉体（注２）      ２．５
７．顔料                                                  ８．０
８．アクリルシリコーン樹脂（注３）                        ５．０
９．ジプロピレングリコール                                ５．０
１０．クエン酸ナトリウム                                  ０．２
１１．防腐剤                                              適  量
１２．香料                                                適  量
１３．精製水                                            ５９．３
（注１）信越化学工業（株）製：ＫＳＧ−２１（商品名）
（注２）信越化学工業（株）製：ＫＳＰ−２００（商品名）
（注３）信越化学工業（株）製：ＫＰ−５４５（商品名）
（製造方法）
Ａ：成分１〜６を混合した。
Ｂ：成分９〜１３を混合溶解し、Ａに加えて攪拌乳化した。
Ｃ：成分７〜８を混合し、Ｂに加えて均一にした。
以上のようにして得られたクリームファンデーションは、べたつきがなく、のび広がりも軽いものであった。また、密着感に優れ、おさまりも良く、マット感のある仕上がりが得られるクリームファンデーションであることが確認された。実施例１９：Ｗ／Ｏ型コンパクトファンデーション
（成分）                                              重量（％）
１．セレシン                                              ５．５
２．マイクロクリスタリンワックス                          １．０
３．流動パラフィン                                        ３．０
４．組成物（Ｉ）（実施例１）                              １．０
５．ジカプリン酸ポリプロピレングリコール                  ３．０
６．アルキル・ポリエーテル共変性シリコーン（注１）        １．０
７．アルキル変性架橋型ポリエーテル変性シリコーン（注２）  ８．０
８．ジメチルポリシロキサン（６ｍｍ２／秒（２５℃））    １５．５
９．オイル処理酸化チタン                                １０．０
１０．顔料                                                適  量
１１．レシチン                                            ０．３
１２．モノオレイン酸ポリオキシエチレンソルビタン          ０．５
１３．ジプロピレングリコール                              ８．０
１４．クエン酸ナトリウム                                  ０．２
１５．精製水                                              残  量
（注１）信越化学（株）製：ＫＦ−６０２６（商品名）
（注２）信越化学（株）製：ＫＳＧ−３３（商品名）
（製造方法）
Ａ：成分１〜８を加熱混合した。
Ｂ：成分９〜１３を混合均一にした。
Ｃ：成分１４〜１５を混合し、Ｂを加えて均一にし、加温した。
Ｄ：ＣをＡに加えて乳化した。
以上のようにして得られたコンパクトファンデーションは、油剤が多いにもかかわらず油っぽさやべたつきがなく、のび広がりも軽く、さっぱりとした使用性を持つものであった。また、密着感に優れ、おさまりも良く化粧もちに優れたＷ／Ｏ型コンパクトファンデーションであることが確認された。
実施例２０：アイシャドウ
（成分）                                              重量（％）
１．セリサイト                                          ４０．０
２．マイカ                                              １０．０
３．タルク                                                残  量
４．酸化チタン                                          １０．０
５．微粒子酸化チタン                                      ５．０
６．ステアリン酸マグネシウム                              ３．０
７．顔料                                                  適  量
８．オクチルドデカノール                                  ３．０
９．ジメチルポリシロキサン（６ｍｍ２／秒（２５℃））      ４．０
１０．組成物（ＶＩＩ）（実施例７）                        ６．０
１１．防腐剤                                              適  量
１２．香料                                                適  量
（製造方法）
Ａ：成分８〜１２を混合した。
Ｂ：成分１〜７を混合した後、Ａを加えて均一に混合した。
以上のようにして得られたアイシャドウは、べたつきがなく、のび広がりも軽いものであった。また、密着感に優れ、おさまりも良く、つやのある仕上がりが得られる化粧持ちの良いアイシャドウであることが確認された。
実施例２１：パウダーアイブロウ
（成分）                                              重量（％）
１．ワセリン                                              ２．５
２．ジメチルポリシロキサン（６ｍｍ２／秒（２５℃））      １．５
３．組成物（ＩＩＩ）（実施例３）                          ０．５
４．トリオクタン酸グリセリル                              ４．０
５．シリコーン処理マイカ                                ４０．０
６．シリコーン処理タルク                                  残  量
７．シリコーン処理酸化チタン                            １０．０
８．シリコーン処理硫酸バリウム                          １５．０
９．シリコーン処理顔料                                    適  量
１０．ハイブリッドシリコーン複合粉体（注１）              １．５
１１．球状ポリメチルシルセスキオキサン粉体（注２）        ２．５
１２．防腐剤                                              適  量
１３．香料                                                適  量
（注１）信越化学工業（株）製：ＫＳＰ−１００（商品名）
（注２）信越化学工業（株）製：ＫＭＰ−５９０（商品名）
（製造方法）
Ａ：成分５〜１２を混合、均一にした。
Ｂ：成分１〜４を均一に混合し、Ａに加えて均一にした。
Ｃ：Ｂに成分１３を添加し、金型にプレス成型してパウダーアイブロウを得た。  以上のようにして得られたアイブロウは、べたつきがなく、のび広がりも軽いものであった。また、密着感に優れ、おさまりも良く、つやのある仕上がりが得られる化粧持ちの良いパウダーアイブロウであることがわかった。
実施例２２：ヘアクリーム
（成分）                                              重量（％）
１．組成物（ＶＩＩＩ）（実施例８）                        ２．０
２．ジメチルポリシロキサン（６ｍｍ２／秒（２５℃））      ５．０
３．デカメチルシクロペンタシロキサン                      ８．０
４．塩化ステアリルトリメチルアンモニウム                  １．５
５．グリセリン                                            ３．０
６．プロピレングリコール                                  ５．０
７．ヒドロキシエチルセルロース                            ０．２
８．防腐剤                                                適  量
９．香料                                                  適  量
１０．精製水                                            ７５．３
（製造方法）
Ａ：成分１〜３を混合した。
Ｂ：成分４〜８及び１０を均一に混合溶解した。
Ｃ：ＢをＡに加えて乳化後、冷却して成分９を加えた。
以上のようにして得られたヘアクリームは、塗布時の伸び、使用後の髪の柔軟性、なめらかさ、まとまり具合、しっとり感、ツヤにおいて、きわめて優れた効果を示すものであり、総合的に非常に優れたヘアクリームであることが確認された。
実施例２３：コンディショニングムース
（成分）                                              重量（％）
１．組成物（ＩＩＩ）（実施例３）                          ０．５
２．ジメチルポリシロキサン（６ｍｍ２／秒（２５℃））      ２．０
３．架橋型ジメチルポリシロキサン（注１）                  ０．５
４．トリオクタン酸グリセリル                              １．５
５．グリセリン                                            ３．０
６．塩化ステアリルジメチルベンジルアンモニウム            ０．５
７．ポリオキシエチレン硬化ヒマシ油                        ０．５
８．エタノール                                            ７．０
９．防腐剤                                                適  量
１０．香料                                                適  量
１１．精製水                                              残  量
１２．液化石油ガス                                        ５．０
（注１）信越化学工業（株）製：ＫＳＧ−１６（商品名）
（製造方法）
Ａ：成分１〜４を混合した。
Ｂ：成分５〜９及び１１を均一に混合溶解した。
Ｃ：ＢをＡに加えて乳化した後、冷却して成分１０を加えた。
Ｄ：Ｃと成分１２をエアゾール缶に充填し、コンディショニングムースを得た。  以上のようにして得られたコンディショニングムースは、しっとり感、柔軟性、なめらかさに優れ、油性感のない良好な感触のものであった。また、密着感に優れ、おさまりも良く、マット感のある仕上がりが得られるコンディショニングムースであることが確認された。
実施例２４：ロールオンタイプ制汗剤
（成分）                                              重量（％）
１．組成物（ＩＩ）（実施例２）                            ５．０
２．架橋型ポリエーテル変性シリコーン（注１）            ２０．０
３．ジメチルポリシロキサン（６ｍｍ２／秒（２５℃））    １０．０
４．架橋型ジメチルポリシロキサン（注２）                １５．０
５．デカメチルシクロペンタシロキサン                    ３０．０
６．アルミニウムジルコニウムテトラクロロハイドレイト    ２０．０
７．香料                                                  適  量
（注１）信越化学工業（株）製：ＫＳＧ−２１（商品名）
（注２）信越化学工業（株）製：ＫＳＧ−１５（商品名）
（製造方法）
Ａ：成分１〜５を混合した。
Ｂ：Ａに成分６、７を加え、均一に分散した。
以上のようにして得られたロールオンタイプの制汗剤は、のびが軽く、清涼感があってさっぱりとして、べたつきや油感がない上、温度や経時による変化もなく、使用性も安定性も非常に優れているものであった。
実施例２５：Ｗ／Ｏ型タイプ制汗剤
（成分）                                              重量（％）
１．組成物（ＩＩＩ）（実施例３）                          ２．０
２．架橋型ポリエーテル変性シリコーン（注１）              ７．０
３．デカメチルシクロペンタシロキサン                      ７．０
４．トリオクタン酸グリセリル                              ８．０
５．１，３−ブチレングリコール                            ５．０
６．クエン酸ナトリウム                                    ０．２
７．アルミニウムクロロハイドレート                      ２０．０
８．香料                                                  適  量
９．精製水                                              ５０．８
（注１）信越化学工業（株）製：ＫＳＧ−２１（商品名）
（製造方法）
Ａ：成分１〜４を混合した。
Ｂ：成分５〜６及び９を混合し、成分７、８を加え溶解した。
Ｃ：ＡにＢを加え攪拌して乳化した。
以上のようにして得られた制汗剤は、のびが軽く、清涼感があってさっぱりとして、べたつきや油感がないものであった。また、温度や経時による変化もなく、使用性も安定性も非常に優れているＷ／Ｏ型タイプの制汗剤であった。
実施例２６：Ｗ／Ｏ型ＵＶカットクリーム
（成分）                                              重量（％）
１．シリコーン処理酸化亜鉛                              ２０．０
２．アクリレート／ジメチルシリコーン共重合体（注１）    １２．０
３．デカメチルシクロペンタシロキサン                    ２０．０
４．トリオクタン酸グリセリル                              ３．０
５．組成物（ＩＩＩ）（実施例３）                          ２．０
６．架橋型ポリエーテル変性シリコーン（注２）              ５．０
７．ポリエーテル変性シリコーン（注３）                    １．０
８．アルキル・ポリエーテル共変性シリコーン（注４）        １．０
９．メトキシ桂皮酸オクチル                                ６．０
１０．クエン酸ナトリウム                                  ０．２
１１．ジプロピレングリコール                              ３．０
１２．防腐剤                                              適  量
１３．香料                                                適  量
１４．精製水                                            ２６．８
（注１）信越化学工業（株）製：ＫＰ−５４５（商品名）
（注２）信越化学工業（株）製：ＫＳＧ−２１（商品名）
（注３）信越化学工業（株）製：ＫＦ−６０１７（商品名）
（注４）信越化学工業（株）製：ＫＦ−６０２６（商品名）
（製造方法）
Ａ：成分３の一部、及び４〜９を混合した。
Ｂ：成分１０〜１２、１４を混合し、Ａに加えて攪拌乳化した。
Ｃ：成分１、２及び３の残部を混合分散し、成分１３とともにＢに加えて均一にした。
以上のようにして得られたＵＶカットクリームは、のびが軽くさっぱりとして、べたつきや油感がなく、透明感があり化粧持ちの良いものであった。また、温度や経時による変化もなく、使用性も安定性も非常に優れているＷ／Ｏ型ＵＶカットクリームであった。
実施例２７：Ｗ／Ｏ型ＵＶカット乳液
（成分）                                              重量（％）
１．ジメチルポリシロキサン（６ｍｍ２／秒（２５℃））      ５．０
２．架橋型ポリエーテル変性シリコーン（注１）              ５．０
３．トリオクタン酸グリセリル                              ２．０
４．組成物（ＩＩ）（実施例２）                            １．０
５．ポリエーテル変性シリコーン（注２）                    １．０
６．酸化チタン／デカメチルシクロペンタシロキサン分散物（注３）
３０．０
７．酸化亜鉛／デカメチルシクロペンタシロキサン分散物（注４）
３０．０
８．ジプロピレングリコール                                ３．０
９．クエン酸ナトリウム                                    ０．２
１０．防腐剤                                              適  量
１１．香料                                                適  量
１２．精製水                                            ２２．８
（注１）信越化学工業（株）製：ＫＳＧ−２１（商品名）
（注２）信越化学工業（株）製：ＫＦ−６０１７（商品名）
（注３）信越化学工業（株）製：ＳＰＤ−Ｔ１Ｓ（商品名）
（注４）信越化学工業（株）製：ＳＰＤ−Ｚ１Ｓ（商品名）
（製造方法）
Ａ：成分１〜５を混合した。
Ｂ：成分８〜１０、１２を混合溶解し、Ａに加えて攪拌乳化した。
Ｃ：成分６、７、１１をＢに加えて均一にした。
以上のようにして得られたＵＶカット乳液は、のびが軽くさっぱりとして、べたつきや油感がなく、透明感があり化粧持ちが良いものであった。また、温度や経時による変化もなく、使用性も安定性も非常に優れているＷ／Ｏ型ＵＶカット乳液であった。
実施例２８：Ｏ／Ｗ型ＵＶカットクリーム
（成分）                                              重量（％）
１．架橋型オルガノポリシロキサン（注１）                  ５．０
２．イソオクタン酸セチル                                  ５．０
３．組成物（ＶＩ）（実施例６）                            １．０
４．酸化チタン／デカメチルシクロペンタシロキサン分散物（注２）
１５．０
５．ポリエーテル変性シリコーン（注３）                    １．０
６．ポリエーテル変性シリコーン（注４）                    １．０
７．アクリル酸アミド系混合物（注５）                      ２．０
８．プロピレングリコール                                  ５．０
９．メチルセルロース（２％水溶液）（注６）                ５．０
１０．防腐剤                                              適  量
１１．香料                                                適  量
１２．精製水                                            ６０．０
（注１）信越化学工業（株）製：ＫＳＧ−１８（商品名）
（注２）信越化学工業（株）製：ＳＰＤ−Ｔ１Ｓ（商品名）
（注３）信越化学工業（株）製：ＫＦ−６０２７（商品名）
（注４）信越化学工業（株）製：ＫＦ−６０１１（商品名）
（注５）セピック製：セピゲル  ３０５（商品名）
（注６）信越化学工業（株）製：メトローズＳＭ−４０００（商品名）
（製造方法）
Ａ：成分５〜８及び１０、１２を混合した。
Ｂ：成分１〜３を混合し、Ａに加えて攪拌乳化した。
Ｃ：成分４をＢに加え、さらに成分９、１１を加えて均一にした。
以上のようにして得られたＵＶカットクリームは、のびが軽くさっぱりとして、べたつきや油感がなく、透明感があり化粧持ちが良いものであった。また、温度や経時による変化もなく、使用性も安定性も非常に優れているＯ／Ｗ型ＵＶカットクリームであった。
実施例２９：非水エマルション
（成分）                                                  （％）
１．架橋型ジメチルポリシロキサン（注１）                ３０．０
２．デカメチルシクロペンタシロキサン                    １５．０
３．ジメチルポリシロキサン（６ｍｍ２／Ｓ）                ７．０
４．組成物（ＩＩＩ）（実施例３）                          ３．０
５．ジメチルジステアリルアンモニウムヘクトライト          ２．０
６．塩化ナトリウム                                        ０．１
７．１，３−ブチレングリコール                          ４２．９
（注１）架橋型ジメチルポリシロキサン：ＫＳＧ１５（信越化学工業（株）社製）
（製造方法）
Ａ：成分１〜５を均一に混合した。
Ｂ：成分６、７を混合した。
Ｃ：Ｂ）をＡ）に加え均一に乳化した。
以上のようにして得られた非水エマルションは、のび広がりが軽くてべたつきや油っぽさがなく、後肌のしっとりした、安定性の良い非水エマルションであることが確認された。
実施例３０：Ｗ／Ｏ／Ｗ型クリーム
（成分）                                              重量（％）
１．架橋型オルガノポリシロキサン（注１）                  ５．０
２．イソオクタン酸セチル                                  ５．０
３．組成物（ＩＩＩ）（実施例３）                          １．０
４．デカメチルシクロペンタシロキサン                      ５．０
５．ジオレイン酸メチルグルコース                          １．５
６．イソヘキサデカン                                      ３．５
７．硫酸マグネシウム                                      ０．５
８．プロピレングリコール                                  ５．０
９．精製水                                              ３９．５
１０．セチルアルコール                                    １．０
１１．ＰＥＧ−１０ソーヤセテロール                        ２．０
１２．防腐剤                                              適  量
１３．香料                                                適  量
１４．精製水                                            ３１．０
（注１）信越化学工業（株）製：ＫＳＧ−２１（商品名）
（製造方法）
Ａ：成分７〜９を混合した。
Ｂ：成分１〜６を混合し、Ａに加えて攪拌乳化した。
Ｃ：成分１０〜１２及び１４を混合し、Ｂを攪拌下、添加して乳化した。
Ｄ：Ｃに成分１３を加えて均一にした。
以上のようにして得られたクリームは、のびが軽くさっぱりとして、べたつきや油感がなく、透明感があり化粧持ちが良いものであった。また、温度や経時による変化もなく、使用性も安定性も非常に優れているＷ／Ｏ／Ｗ型クリームであった。
実施例３１：Ｏ／Ｗ／Ｏ型乳液
（成分）                                              重量（％）
１．架橋型オルガノポリシロキサン（注１）                  ３．０
２．トリイソオクタン酸グリセリル                        １５．０
３．組成物（ＶＩＩ）（実施例７）                          ５．０
４．ショ糖モノステアレート                                ３．０
５．グリセリン                                            ５．０
６．１，３−ブチレングリコール                            ５．０
７．防腐剤                                                適  量
８．精製水                                              ６０．０
９．マカデミアンナッツ油                                  ２．０
１０．セチルアルコール                                    ２．０
１１．香料                                                適  量
（注１）信越化学工業（株）製：ＫＳＧ−２１（商品名）
（製造方法）
Ａ：成分１〜３を均一に混合した。
Ｂ：成分４〜８を加熱混合し、均一にした。
Ｃ：成分９〜１１を加熱混合した。
Ｄ：Ｂを攪拌しながらＣを加えて乳化し、冷却した。
Ｄ：Ａを攪拌しながらＤを加えて乳化した。
以上のようにして得られた乳液は、のびが軽くさっぱりとして、べたつきや油感がなく、透明感があり化粧持ちが良いものであった。また、温度や経時による変化もなく、使用性も安定性も非常に優れているＯ／Ｗ／Ｏ型乳液であった。
実施例３２：Ｏ／Ｗ／Ｏ型リキッドファンデーション
（成分）                                              重量（％）
１．架橋型オルガノポリシロキサン（注１）                  ５．０
２．デカン酸プロピレングリコール                          ５．０
３．ミリスチン酸イソプロピル                              ５．０
４．顔料                                                １０．０
５．卵黄由来水素添加リン脂質                              １．０
６．グリセリン                                            ２．０
７．１，３−ブチレングリコール                          １０．０
８．防腐剤                                                適  量
９．精製水                                              ５２．０
１０．スクワラン                                          ３．０
１１．組成物（ＩＶ）（実施例４）                          ２．０
１２．セチルアルコール                                    ５．０
１３．香料                                                適  量
（注１）信越化学工業（株）製：ＫＳＧ−２１（商品名）
（製造方法）
Ａ：成分１〜３を均一に混合した。
Ｂ：成分４〜９を加熱混合し、均一にした。
Ｃ：成分１０〜１３を加熱混合した。
Ｄ：Ｂを攪拌しながらＣを加えて乳化し、冷却した。
Ｄ：Ａを攪拌しながらＤを加えて乳化した。
以上のようにして得られたリキッドファンデーションは、のびが軽くさっぱりとして、べたつきや油感がなく、透明感があり化粧持ちが良いものであった。また、温度や経時による変化もなく、使用性も安定性も非常に優れているＯ／Ｗ／Ｏ型リキッドファンデーションであった。
本発明の架橋型オルガノポリシロキサン重合物と、シリコーン油以外の油剤からなる組成物を配合した化粧料は、塗布時のべたつきや重さがなくさらさらして、のび広がりも軽く、後肌も、さらっとしたなめらかな感触を有する等、軽い延びとさっぱりした使用感を有する。従って本発明の化粧料を塗布する事により、適度に水分の蒸散を損なうことなく、柔軟性、平滑性、エモリエント効果を付与し、自然なつやからマット感まで幅広い特性を与えることが出来る等、本発明の化粧料は使用性に優れると共に、良好な経時安定性を有する。
産業上の利用可能性
本発明の化粧料は、軽い延びとさっぱりした使用感を有すると共に、塗布する事により、柔軟性、平滑性、及びエモリエント効果を付与し、自然なつやからマット感までの幅広い効果に優れ、良好な経時安定性を有するので、実用上極めて有用である。また、本発明の組成物は、実用される化粧料の原料成分であるので、産業上の有用性は大きい。
【手続補正書】
【提出日】平成14年2月11日(2002.2.11)
【手続補正１】
【補正対象書類名】明細書
【補正対象項目名】特許請求の範囲
【補正方法】変更
【補正の内容】
【特許請求の範囲】
【請求項１】
（補正後）架橋型オルガノポリシロキサン重合物とシリコーン油以外の油剤とからなることを特徴とするペースト状組成物。
【請求項２】
（補正後）前記架橋型オルガノポリシロキサン重合物が、自重の２倍以上の量の前記シリコーン以外の油剤を含んで膨潤する架橋型オルガノポリシロキサン重合物である、請求項１に記載されたペースト状組成物。
【請求項３】
（補正後）前記架橋型オルガノポリシロキサン重合物が、構成成分として、分子中に平均で１．５個以上のビニル性反応部位を有するオルガノポリシロキサンと、分子中に平均で１．５個以上のケイ素原子に直接結合した水素原子を有するオルガノハイドロジェンポリシロキサンを反応させることにより、架橋構造を形成させてなる架橋型オルガノポリシロキサン重合物である、請求項１又は２に記載されたペースト状組成物。
【請求項４】
（補正後）前記架橋型オルガノポリシロキサン重合物が、下記（１）に示されるオルガノハイドロジェンポリシロキサンと、下記（２）に示されるオルガノポリシロキサン、及び／又は下記（３）に示される不飽和炭化水素との付加重合によって得られる架橋型オルガノポリシロキサン重合物である、請求項１又は２に記載されたペースト状組成物。
（１）：ＳｉＯ２単位、ＨＳｉＯ１．５単位、ＲＳｉＯ１．５単位、ＲＨＳｉＯ単位、Ｒ２ＳｉＯ単位、Ｒ３ＳｉＯ０．５単位及びＲ２ＨＳｉＯ０．５単位（ここで、Ｒは脂肪族不飽和基を除く置換もしくは非置換の炭素数１〜３０の一価炭化水素基である）からなる群から選択された少なくとも１種の構造単位で構成されると共に、ケイ素原子に結合した水素原子を平均で１．５個以上分子中に含有するオルガノハイドロジェンポリシロキサン。
（２）：ＳｉＯ２単位、（ＣＨ２＝ＣＨ）ＳｉＯ１．５単位、ＲＳｉＯ１．５単位、Ｒ（ＣＨ２＝ＣＨ）ＳｉＯ単位、Ｒ２ＳｉＯ単位、Ｒ３ＳｉＯ０．５単位及びＲ２（ＣＨ２＝ＣＨ）ＳｉＯ０．５単位、（ここでＲは前記（１）の場合と同じ）からなる群から選択された構造単位で構成されると共に、分子中にケイ素原子に結合したビニル基を平均で１．５個以上含有するオルガノポリシロキサン。
（３）：ＣｍＨ２ｍ−１（ＣＨ２）ｘＣｍＨ２ｍ−１で表される不飽和炭化水素。但し、ｍは２〜６、Ｘは１以上の整数である。
ここで、（１）及び（２）に示されるポリシロキサンは、ケイ素原子結合水素原子、或いはケイ素原子結合ビニル基の少なくとも一方の含有量が、ケイ素原子に結合している全有機基と水素原子との合計あたり２０モル％よりも小さくなるように選択される。
【請求項５】
（補正後）前記架橋型オルガノポリシロキサン重合物を形成する一部のＲが、脂肪族不飽和基を除く、置換もしくは非置換の炭素数１０〜２２の一価炭化水素基である、請求項１〜４の何れかに記載されたペースト状組成物。
【請求項６】
（補正後）前記シリコーン油以外の油剤が炭化水素油である、請求項１〜５の何れかに記載されたペースト状組成物。
【請求項７】
（補正後）前記炭化水素油が分岐状炭化水素油である、請求項６に記載されたペースト状組成物。
【請求項８】
（補正後）前記炭化水素油が揮発性の炭化水素油である、請求項６又は７に記載されたペースト状組成物。
【請求項９】
（補正後）前記シリコーン油以外の油剤がエステル油である、請求項１〜５の何れかに記載されたペースト状組成物。
【請求項１０】
（補正後）前記シリコーン油以外の油剤がグリセライド油である、請求項１〜５の何れかに記載されたペースト状組成物。
【請求項１１】
（補正後）前記シリコーン油以外の油剤が天然動植物油剤及び半合成油剤である、請求項１〜５の何れかに記載されたペースト状組成物。
【請求項１２】
請求項１〜１１の何れかに記載された組成物をＡ）成分として含有する化粧料。
【請求項１３】
Ａ）成分である組成物中に含有される油剤以外の油剤をＢ）成分として含有する請求項１２に記載された化粧料。
【請求項１４】
前記Ｂ）成分である油剤の少なくとも一部が常温で液状である、請求項１３に記載された化粧料。
【請求項１５】
前記Ｂ）成分である油剤の少なくとも一部が、Ｒ１ａＳｉＯ（４−ａ）／２（ただし、Ｒ１は水素原子または炭素数１〜３０のアルキル基、アリール基、アラルキル基又はフッ素置換アルキル基であり、ａは１．５≦ａ≦２．５の正数である。）で表される、直鎖状、分岐状又は環状のシリコーン油である、請求項１３又は１４に記載された化粧料。
【請求項１６】
前記Ｂ）成分である油剤の少なくとも一部が、フッ素基、又はアミノ基を有する油剤である、請求項１３〜１５の何れかに記載された化粧料。
【請求項１７】
Ｃ）成分として水を含有する、請求項１２〜１６の何れかに記載された化粧料。
【請求項１８】
Ｄ）成分として分子構造中にアルコール性水酸基を有する化合物を含有する、請求項１２〜１７の何れかに記載された化粧料。
【請求項１９】
前記Ｄ）成分である分子構造中にアルコール性水酸基を有する化合物が、水溶性で一価のアルコール、及び／又は水溶性多価アルコールである、請求項１８に記載された化粧料。
【請求項２０】
Ｅ）成分として水溶性又は水膨潤性高分子を含有する、請求項１２〜１９の何れかに記載された化粧料。
【請求項２１】
Ｆ）成分として粉体及び／又は着色剤を含む、請求項１２〜２０の何れかに記載された化粧料。
【請求項２２】
前記Ｆ）成分である粉体及び／又は着色剤の少なくとも一部が、ジメチルシリコーンを架橋した構造を持つ架橋型シリコーン微粉末、ポリメチルシルセスキオキサンの微粉末、疎水化シリカ、あるいは球状シリコーンゴム表面をポリメチルシルセスキオキサン粒子で被覆した複合微粉末である、請求項２１に記載された化粧料。
【請求項２３】
前記Ｆ）成分である粉体及び／又は着色剤の少なくとも一部が、フッ素基を有する粉体及び／又は着色剤である、請求項２１又は２２に記載された化粧料。
【請求項２４】
Ｇ）成分として界面活性剤を含有する、請求項１２〜２３の何れかに記載された化粧料。
【請求項２５】
前記Ｇ）成分である界面活性剤が分子中にポリオキシアルキレン鎖を有する直鎖状又は分岐状のシリコーンである、請求項２４に記載された化粧料。
【請求項２６】
前記Ｇ）成分である界面活性剤のＨＬＢが２−８である、請求項２４又は２５に記載された化粧料。
【請求項２７】
Ｈ）成分として、０．６５ｍｍ２／秒（２５℃）〜１００．０ｍｍ２／秒（２５℃）の低粘度シリコーンを自重以上の量含んで膨潤する架橋型オルガノポリシロキサンを含有する、請求項１２〜２６の何れかに記載された化粧料。
【請求項２８】
前記Ｈ）成分である架橋型オルガノポリシロキサンが、ポリオキシアルキレン部分、アルキル部分、アルケニル部分、アリール部分、フルオロアルキル部分の中から選択された少なくとも一つの部分を架橋分子中に含有する架橋型オルガノポリシロキサンである、請求項２７に記載された化粧料。
【請求項２９】
Ｉ）成分としてシリコーン樹脂を含有する請求項１２〜２８の何れかに記載された化粧料。
【請求項３０】
前記Ｉ）成分であるシリコーン樹脂がアクリルシリコーン樹脂である、請求項２９に記載された化粧料。
【請求項３１】
前記Ｉ）成分であるシリコーン樹脂が、ピロリドン部分、長鎖アルキル部分、ポリオキシアルキレン部分、フルオロアルキル部分、及びカルボン酸などのアニオン部分からなる群の中から選択された少なくとも一つの部分を分子中に含有するアクリルシリコーン樹脂である、請求項３０に記載された化粧料。
【請求項３２】
前記Ｉ）成分であるシリコーン樹脂が、構成成分としてＭＱ、ＭＤＱ、ＭＴ、ＭＤＴ、ＭＤＴＱと表されるシリコーン網状化合物である、請求項２９に記載された化粧料。
【請求項３３】
前記Ｉ）成分であるシリコーン樹脂が、ピロリドン部分、長鎖アルキル部分、ポリオキシアルキレン部分、フルオロアルキル部分、及びアミノ部分からなる群の中から選択された少なくとも一つの部分を分子中に含有するシリコーン網状化合物である、請求項２９又は３２に記載された化粧料。
【請求項３４】
請求項１２〜３３の何れかに記載された化粧料を構成成分の少なくとも一部としてなるスキンケア化粧料。
【請求項３５】
請求項１２〜３３の何れかに記載された化粧料を構成成分の少なくとも一部としてなるメークアップ化粧料。
【請求項３６】
請求項１２〜３３の何れかに記載された化粧料を構成成分の少なくとも一部としてなる頭髪化粧料。
【請求項３７】
請求項１２〜３３の何れかに記載された化粧料を構成成分の少なくとも一部としてなる制汗剤化粧料。
【請求項３８】
請求項１２〜３３の何れかに記載された化粧料を構成成分の少なくとも一部としてなる紫外線防御化粧料。
【請求項３９】
請求項１２〜３８の何れかに記載された化粧料の形状が、液状、乳液状、クリーム状、固形状、ペースト状、ゲル状、粉末状、プレス状、多層状、ムース状、スプレー状、又はスティック状である化粧料。
【手続補正書】
【提出日】平成15年7月7日(2003.7.7)
【手続補正００１】
【補正対象書類名】特許請求の範囲
【補正対象項目名】全文
【補正方法】変更
【補正の内容】
【特許請求の範囲】
【請求項１】架橋型オルガノポリシロキサン重合物とシリコーン油以外の油剤とからなるペースト状組成物であって、前記架橋型オルガノポリシロキサン重合物が、下記（１）に示されるオルガノハイドロジェンポリシロキサンと、下記（２）に示されるオルガノポリシロキサン、及び／又は下記（３）に示される不飽和炭化水素との付加重合によって得られる架橋型オルガノポリシロキサン重合物であることを特徴とするペースト状組成物。
（１）：ＳｉＯ２単位、ＨＳｉＯ１．５単位、ＲＳｉＯ１．５単位、ＲＨＳｉＯ単位、Ｒ２ＳｉＯ単位、Ｒ３ＳｉＯ０．５単位及びＲ２ＨＳｉＯ０．５単位（ここで、Ｒは脂肪族不飽和基を除く置換もしくは非置換の炭素数１〜３０の一価炭化水素基である）からなる群から選択された少なくとも１種の構造単位で構成されると共に、ケイ素原子に結合した水素原子を平均で１．５個以上分子中に含有するオルガノハイドロジェンポリシロキサン。
（２）：ＳｉＯ２単位、（ＣＨ２＝ＣＨ）ＳｉＯ１．５単位、ＲＳｉＯ１．５単位、Ｒ（ＣＨ２＝ＣＨ）ＳｉＯ単位、Ｒ２ＳｉＯ単位、Ｒ３ＳｉＯ０．５単位及びＲ２（ＣＨ２＝ＣＨ）ＳｉＯ０．５単位、（ここでＲは前記（１）の場合と同じ）からなる群から選択された構造単位で構成されると共に、分子中にケイ素原子に結合したビニル基を平均で１．５個以上含有するオルガノポリシロキサン。
但し、上記（１）又は（２）の一般式における少なくとも一方のＲは、その３０モル％以上がメチル基であると共に、５〜５０モル％が炭素数１０〜２２の炭化水素基である。
（３）：ＣｍＨ２ｍ−１（ＣＨ２）ｘＣｍＨ２ｍ−１で表される不飽和炭化水素。
但し、ｍは２〜６、Ｘは１以上の整数である。
ここで、（１）及び（２）に示されるポリシロキサンは、ケイ素原子結合水素原子、或いはケイ素原子結合ビニル基の少なくとも一方の含有量が、ケイ素原子に結合している全有機基と水素原子との合計あたり２０モル％よりも小さくなるように選択される。
【請求項２】前記架橋型オルガノポリシロキサン重合物が、自重以上の量の前記シリコーン以外の油剤を含んで膨潤する架橋型オルガノポリシロキサン重合物である、請求項１に記載されたペースト状組成物。
【請求項３】前記架橋型オルガノポリシロキサン重合物が、構成成分として、分子中に平均で１．５個以上のビニル性反応部位を有するオルガノポリシロキサンと、分子中に平均で１．５個以上のケイ素原子に直接結合した水素原子を有するオルガノハイドロジェンポリシロキサンを反応させることにより、架橋構造を形成させてなる架橋型オルガノポリシロキサン重合物である、請求項１又は２に記載されたペースト状組成物。
【請求項４】（削除）
【請求項５】前記架橋型オルガノポリシロキサン重合物を形成する一部のＲが、脂肪族不飽和基を除く、置換もしくは非置換の炭素数１０〜２２の一価炭化水素基である、請求項１〜３の何れかに記載されたペースト状組成物。
【請求項６】前記シリコーン油以外の油剤が炭化水素油である、請求項１〜３及び５の何れかに記載されたペースト状組成物。
【請求項７】前記炭化水素油が分岐状炭化水素油である、請求項６に記載されたペースト状組成物。
【請求項８】前記炭化水素油が揮発性の炭化水素油である、請求項６又は７に記載されたペースト状組成物。
【請求項９】前記シリコーン油以外の油剤がエステル油である、請求項１〜３及び５の何れかに記載されたペースト状組成物。
【請求項１０】前記シリコーン油以外の油剤がグリセライド油である、請求項１〜３及び５の何れかに記載されたペースト状組成物。
【請求項１１】前記シリコーン油以外の油剤が天然動植物油剤及び半合成油剤である、請求項１〜３及び５の何れかに記載されたペースト状組成物。
【請求項１２】請求項１〜３及び５〜１１の何れかに記載された組成物をＡ）成分として含有する化粧料。
【請求項１３】Ａ）成分である組成物中に含有される油剤以外の油剤をＢ）成分として含有する請求項１２に記載された化粧料。
【請求項１４】前記Ｂ）成分である油剤の少なくとも一部が常温で液状である、請求項１３に記載された化粧料。
【請求項１５】前記Ｂ）成分である油剤の少なくとも一部が、Ｒ１ａＳｉＯ（４−ａ）／２（ただし、Ｒ１は水素原子または炭素数１〜３０のアルキル基、アリール基、アラルキル基又はフッ素置換アルキル基であり、ａは１．５≦ａ≦２．５の正数である。）で表される、直鎖状、分岐状又は環状のシリコーン油である、請求項１３又は１４に記載された化粧料。
【請求項１６】前記Ｂ）成分である油剤の少なくとも一部が、フッ素基、又はアミノ基を有する油剤である、請求項１３〜１５の何れかに記載された化粧料。
【請求項１７】Ｃ）成分として水を含有する、請求項１２〜１６の何れかに記載された化粧料。
【請求項１８】Ｄ）成分として分子構造中にアルコール性水酸基を有する化合物を含有する、請求項１２〜１７の何れかに記載された化粧料。
【請求項１９】前記Ｄ）成分である分子構造中にアルコール性水酸基を有する化合物が、水溶性で一価のアルコール、及び／又は水溶性多価アルコールである、請求項１８に記載された化粧料。
【請求項２０】Ｅ）成分として水溶性又は水膨潤性高分子を含有する、請求項１２〜１９の何れかに記載された化粧料。
【請求項２１】Ｆ）成分として粉体及び／又は着色剤を含む、請求項１２〜２０の何れかに記載された化粧料。
【請求項２２】前記Ｆ）成分である粉体及び／又は着色剤の少なくとも一部が、ジメチルシリコーンを架橋した構造を持つ架橋型シリコーン微粉末、ポリメチルシルセスキオキサンの微粉末、疎水化シリカ、あるいは球状シリコーンゴム表面をポリメチルシルセスキオキサン粒子で被覆した複合微粉末である、請求項２１に記載された化粧料。
【請求項２３】前記Ｆ）成分である粉体及び／又は着色剤の少なくとも一部が、フッ素基を有する粉体及び／又は着色剤である、請求項２１又は２２に記載された化粧料。
【請求項２４】Ｇ）成分として界面活性剤を含有する、請求項１２〜２３の何れかに記載された化粧料。
【請求項２５】前記Ｇ）成分である界面活性剤が分子中にポリオキシアルキレン鎖を有する直鎖状又は分岐状のシリコーンである、請求項２４に記載された化粧料。
【請求項２６】前記Ｇ）成分である界面活性剤のＨＬＢが２−８である、請求項２４又は２５に記載された化粧料。
【請求項２７】Ｈ）成分として、０．６５ｍｍ２／秒（２５℃）〜１００．０ｍｍ２／秒（２５℃）の低粘度シリコーンを自重以上の量含んで膨潤する架橋型オルガノポリシロキサンを含有する、請求項１２〜２６の何れかに記載された化粧料。
【請求項２８】前記Ｈ）成分である架橋型オルガノポリシロキサンが、ポリオキシアルキレン部分、アルキル部分、アルケニル部分、アリール部分、フルオロアルキル部分の中から選択された少なくとも一つの部分を架橋分子中に含有する架橋型オルガノポリシロキサンである、請求項２７に記載された化粧料。
【請求項２９】Ｉ）成分としてシリコーン樹脂を含有する請求項１２〜２８の何れかに記載された化粧料。
【請求項３０】前記Ｉ）成分であるシリコーン樹脂がアクリルシリコーン樹脂である、請求項２９に記載された化粧料。
【請求項３１】前記Ｉ）成分であるシリコーン樹脂が、ピロリドン部分、長鎖アルキル部分、ポリオキシアルキレン部分、フルオロアルキル部分、及びカルボン酸などのアニオン部分からなる群の中から選択された少なくとも一つの部分を分子中に含有するアクリルシリコーン樹脂である、請求項３０に記載された化粧料。
【請求項３２】前記Ｉ）成分であるシリコーン樹脂が、構成成分としてＭＱ、ＭＤＱ、ＭＴ、ＭＤＴ、ＭＤＴＱと表されるシリコーン網状化合物である、請求項２９に記載された化粧料。
【請求項３３】前記Ｉ）成分であるシリコーン樹脂が、ピロリドン部分、長鎖アルキル部分、ポリオキシアルキレン部分、フルオロアルキル部分、及びアミノ部分からなる群の中から選択された少なくとも一つの部分を分子中に含有するシリコーン網状化合物である、請求項２９又は３２に記載された化粧料。
【請求項３４】請求項１２〜３３の何れかに記載された化粧料を構成成分の少なくとも一部としてなるスキンケア化粧料。
【請求項３５】請求項１２〜３３の何れかに記載された化粧料を構成成分の少なくとも一部としてなるメークアップ化粧料。
【請求項３６】請求項１２〜３３の何れかに記載された化粧料を構成成分の少なくとも一部としてなる頭髪化粧料。
【請求項３７】請求項１２〜３３の何れかに記載された化粧料を構成成分の少なくとも一部としてなる制汗剤化粧料。
【請求項３８】請求項１２〜３３の何れかに記載された化粧料を構成成分の少なくとも一部としてなる紫外線防御化粧料。
【請求項３９】請求項１２〜３８の何れかに記載された化粧料の形状が、液状、乳液状、クリーム状、固形状、ペースト状、ゲル状、粉末状、プレス状、多層状、ムース状、スプレー状、又はスティック状である化粧料。


【手続補正００２】
【補正対象書類名】明細書
【補正対象項目名】０００３
【補正方法】変更
【補正の内容】
【０００３】
さらしてのび広がりが軽く、後肌も、さらっとしたなめらかな感触を有する等、軽い延びとさっぱりした使用感を有する化粧料に好適なペースト状組成物を提供することにある。
本発明の第２の目的は、塗布する事により、適度な水分の蒸散を損なうことなく、柔軟性、平滑性及びエモリエント効果を付与し、自然なつやからマット感まで幅広い特性を与える等、使用性に優れ、良好な経時安定性を有する化粧料を提供することにある。
発明の開示
本発明の上記の諸目的は、架橋型オルガノポリシロキサンとシリコーン油以外の油剤からなるペースト状組成物、及びそのペースト状組成物を含有する事を特徴とする化粧料によって達成された。
本発明の架橋型オルガノポリシロキサン重合物と、シリコーン油以外の油剤からなるペースト状組成物を配合した化粧料は、塗布時のべたつきや重さがなくさらさらして、のび広がりも軽く、後肌も、さらっとしたなめらかな感触を有する等、軽い延びとさっぱりした使用感を有する。従って本発明の化粧料を塗布する事により、適度な水分の蒸散を損なうことなく、柔軟性、平滑性、及びエモリエント効果を付与し、自然なつやからマット感まで幅広い特性を与えることが出来る等、本発明の化粧料は使用性に優れると共に、良好な経時安定性を有する。
発明を実施するための最良の形態
本発明のペースト状組成物（以下単に本発明の組成物と略す）の架橋型オルガノポリシロキサンは、シリコーン油以外の油剤を自重以上の量含んで膨潤する架僑型オルガノポリシロキサンであることが好ましい。また、構成成分として分子中に平均で１．５個以上のビニル性反応部位を有するオルガノポリシロキサンと、分子中に
【手続補正００３】
【補正対象書類名】明細書
【補正対象項目名】０００６
【補正方法】変更
【補正の内容】
【０００６】
ｉＯ２単位、（ＣＨ２＝ＣＨ）ＳｉＯ１．５単位、ＲＳｉＯ１．５単位、Ｒ（ＣＨ２＝ＣＨ）ＳｉＯ単位、Ｒ２ＳｉＯ単位、Ｒ３ＳｉＯ０．５単位及びＲ２（ＣＨ２＝ＣＨ）ＳｉＯ０．５単位、（ここでＲは前記（１）の場合と同じ）からなる群の中から選択された少なくとも１種の構造単位で構成される。また、分子中に、ケイ素原子に結合したビニル基を平均で１．５個以上含有することが好ましく、特に２〜５０個含有することが好ましい。さらに、好ましくは、ケイ素原子に結合したビニル基の分子中に含有される平均個数は２〜１０個、特に好ましくは２〜５個である。また、Ｒの３０モル％以上がメチル基であると共に５〜５０モル％が炭素数１０〜２２の炭化水素基であることが好ましく、特に、上記炭素数１０〜２２の炭化水素基が１０〜４０モル％であることが好ましい。
尚、Ｒについての上記好ましい態様は、前記（１）に示されたオルガノハイドロジェンポリシロキサン又は（２）に示されたビニル基含有オルガノポリシロキサンのうち、少なくとも一方について満たされている必要がある。
（２）に示されるビニル基含有オルガノポリシロキサンの分子構造は、直鎖状、分岐状、環状のいずれであっても良い。また、このビニル基の分子中における含有量は、ケイ素原子に結合した全有機基中の０．５〜５０モル％であることが好ましく、特に１〜２０モル％であることが好ましい。
また、（３）に示された不飽和炭化水素、ＣｍＨ２ｍ−１（ＣＨ２）ｘＣｍＨ２ｍ−１におけるｍは２〜６の整数、Ｘは１以上の整数であり、好ましくは、１〜２０の整数である。このような不飽和炭化水素の具体例としては、例えばペンタジエン、ヘキサジエン、ヘプタジエン、オクタジエン、ペンタデカジエン、ヘプタデカジエン、ヘントリアコンタジエン等が挙げられる。
上述したように、（１）に示されたオルガノハイドロジェンポリシロキサン及び（２）に示されたビニル基含有オルガノポリシロキサンの少なくとも一方は、反応性基（ケイ素原子に結合した水素原子及びビニル基）の分子中における含有量が、ケイ素原子に結合している全ての有機
【手続補正００４】
【補正対象書類名】明細書
【補正対象項目名】００２８
【補正方法】変更
【補正の内容】
【００２８】
（３）式：
2003024413.tif 000009
（４）式：
2003024413.tif 000010
実施例７（削除）
実施例８（削除）
【手続補正００５】
【補正対象書類名】明細書
【補正対象項目名】００２９
【補正方法】変更
【補正の内容】
【００２９】
実施例９：Ｗ／Ｏ型乳液
（成分）                                                重量（％）
１．組成物（ＩＩＩ）（実施例３）                          １５．０
２．ジメチルポリシロキサン（６ｍｍ２／秒（２５℃））      １２．０
３．デカメチルシクロペンタシロキサン                      １０．０
４．トリオクタン酸グリセリル                                ５．０
５．ポリエーテル変性シリコーン（注１）                      ３．０
６．１，３−ブチレングリコール                              ５．０
７．防腐剤                                                  適  量
８．香料                                                    適  量
【手続補正００６】
【補正対象書類名】明細書
【補正対象項目名】００３９
【補正方法】変更
【補正の内容】
【００３９】
６．アルキル・ポリエーテル共変性シリコーン（注１）          １．０
７．アルキル変性架橋型ポリエーテル変性シリコーン（注２）    ８．０
８．ジメチルポリシロキサン（６ｍｍ２／秒（２５℃））      １５．５
９．オイル処理酸化チタン                                  １０．０
１０．顔料                                                  適  量
１１．レシチン                                              ０．３
１２．モノオレイン酸ポリオキシエチレンソルビタン            ０．５
１３．ジプロピレングリコール                                ８．０
１４．クエン酸ナトリウム                                    ０．２
１５．精製水                                                残  量
（注１）信越化学（株）製：ＫＦ−６０２６（商品名）
（注２）信越化学（株）製：ＫＳＧ−３３（商品名）
（製造方法）
Ａ：成分１〜８を加熱混合した。
Ｂ：成分９〜１３を混合均一にした。
Ｃ：成分１４〜１５を混合し、Ｂを加えて均一にし、加温した。
Ｄ：ＣをＡに加えて乳化した。
以上のようにして得られたコンパクトファンデーションは、油剤が多いにもかかわらず油っぽさやべたつきがなく、のび広がりも軽く、さっぱりとした使用性を持つものであった。また、密着感に優れ、おさまりも良く化粧もちに優れたＷ／Ｏ型コンパクトファンデーションであることが確認された。
実施例２０（削除）
【手続補正００７】
【補正対象書類名】明細書
【補正対象項目名】００４０
【補正方法】変更
【補正の内容】
【００４０】
実施例２１：パウダーアイブロウ
（成分）                                                重量（％）
１．ワセリン                                                ２．５
２．ジメチルポリシロキサン（６ｍｍ２／秒（２５℃））        １．５
３．組成物（ＩＩＩ）（実施例３）                            ０．５
４．トリオクタン酸グリセリル                                ４．０
５．シリコーン処理マイカ                                  ４０．０
６．シリコーン処理タルク                                    残  量
７．シリコーン処理酸化チタン                              １０．０
【手続補正００８】
【補正対象書類名】明細書
【補正対象項目名】００４１
【補正方法】変更
【補正の内容】
【００４１】
８．シリコーン処理硫酸バリウム                          １５．０
９．シリコーン処理顔料                                    適  量
１０．ハイブリッドシリコーン複合粉体（注１）              １．５
１１．球状ポリメチルシルセスキオキサン粉体（注２）        ２．５
１２．防腐剤                                              適  量
１３．香料                                                適  量
（注１）信越化学工業（株）製：ＫＳＰ−１００（商品名）
（注２）信越化学工業（株）製：ＫＭＰ−５９０（商品名）
（製造方法）
Ａ：成分５〜１２を混合、均一にした。
Ｂ：成分１〜４を均一に混合し、Ａに加えて均一にした。
Ｃ：Ｂに成分１３を添加し、金型にプレス成型してパウダーアイブロウを得た。
以上のようにして得られたアイブロウは、べたつきがなく、のび広がりも軽いものであった。また、密着感に優れ、おさまりも良く、つやのある仕上がりが得られる化粧持ちの良いパウダーアイブロウであることがわかった。
実施例２２（削除）
【手続補正００９】
【補正対象書類名】明細書
【補正対象項目名】００４２
【補正方法】変更
【補正の内容】
【００４２】
実施例２３：コンディショニングムース
（成分）                                                重量（％）
１．組成物（ＩＩＩ）（実施例３）                            ０．５
２．ジメチルポリシロキサン（６ｍｍ２／秒（２５℃））        ２．０
３．架橋型ジメチルポリシロキサン（注１）                    ０．５
４．トリオクタン酸グリセリル                                １．５
５．グリセリン                                              ３．０
６．塩化ステアリルジメチルベンジルアンモニウム              ０．５
７．ポリオキシエチレン硬化ヒマシ油                          ０．５
８．エタノール                                              ７．０
９．防腐剤                                                  適  量
１０．香料                                                  適  量
１１．精製水                                                残  量
１２．液化石油ガス                                          ５．０
（注１）信越化学工業（株）製：ＫＳＧ−１６（商品名）
【手続補正０１０】
【補正対象書類名】明細書
【補正対象項目名】００４９
【補正方法】変更
【補正の内容】
【００４９】
３．組成物（ＩＩＩ）（実施例３）                            １．０
４．デカメチルシクロペンタシロキサン                        ５．０
５．ジオレイン酸メチルグルコース                            １．５
６．イソヘキサデカン                                        ３．５
７．硫酸マグネシウム                                        ０．５
８．プロピレングリコール                                    ５．０
９．精製水                                                ３９．５
１０．セチルアルコール                                      １．０
１１．ＰＥＧ−１０ソーヤセテロール                          ２．０
１２．防腐剤                                                適  量
１３．香料                                                  適  量
１４．精製水                                              ３１．０
（注１）信越化学工業（株）製：ＫＳＧ−２１（商品名）
（製造方法）
Ａ：成分７〜９を混合した。
Ｂ：成分１〜６を混合し、Ａに加えて攪拌乳化した。
Ｃ：成分１０〜１２及び１４を混合し、Ｂを攪拌下、添加して乳化した。
Ｄ：Ｃに成分１３を加えて均一にした。
以上のようにして得られたクリームは、のびが軽くさっぱりとして、べたつきや油感がなく、透明感があり化粧持ちが良いものであった。また、温度や経時による変化もなく、使用性も安定性も非常に優れているＷ／Ｏ／Ｗ型クリームであった。
実施例３１（削除）
【手続補正０１１】
【補正対象書類名】明細書
【補正対象項目名】００５０
【補正方法】変更
【補正の内容】
【００５０】
実施例３２：Ｏ／Ｗ／Ｏ型リキッドファンデーション
（成分）                                              重量（％）
１．架橋型オルガノポリシロキサン（注１）                  ５．０
２．デカン酸プロピレングリコール                          ５．０
３．ミリスチン酸イソプロピル                              ５．０
【国際調査報告】
2003024413.tif 000011
2003024413.tif 000012
2003024413.tif 000013
2003024413.tif 000014